(57)【特許請求の範囲】
【請求項１】
ユーザ機器（ＵＥ）におけるワイヤレス通信の方法であって、
基地局から、前記ＵＥのためのリソースブロックのセットを備えるアップリンクリソース割振りを受信することと、
前記ＵＥの複数のアンテナの各アンテナについてのそれぞれのダウンリンクチャネル特性を決定することと、前記ダウンリンクチャネル特性は、前記リソースブロックのセットに対応する、ここにおいて、各アンテナについての前記ダウンリンクチャネル特性を前記決定することは、前記複数のアンテナのうちの少なくとも１つのアンテナについての、現在のダウンリンクチャネル特性の測定と前記ダウンリンクチャネル特性に関する履歴とに基づいて、前記少なくとも１つのアンテナについての前記ダウンリンクチャネル特性を決定することを備える、
前記決定されたそれぞれのダウンリンクチャネル特性に少なくとも部分的に基づいて、前記リソースブロックのセットの第１のサブセットを前記複数のアンテナの第１のアンテナに、および、前記リソースブロックのセットの第２のサブセットを前記複数のアンテナの第２のアンテナに、マッピングすることと、前記第１のサブセットは前記第２のサブセットとは異なる、
前記マッピングに少なくとも部分的に基づいて、前記複数のアンテナのそれぞれのアンテナ上で１つまたは複数のアップリンク送信を送信するために、前記リソースブロックのセットの前記第１のサブセットおよび前記第２のサブセットのうちの少なくとも１つを使用することと、
を備える方法。
【請求項２】
前記リソースブロックのセットの前記第１のサブセットおよび前記第２のサブセットを前記それぞれのアンテナに前記マッピングすることは、スロットごとまたはサブフレームごとのうちの少なくとも１つで実行される、請求項１に記載の方法。
【請求項３】
前記複数のアンテナの各アンテナについての前記それぞれのダウンリンクチャネル特性を前記決定することが、
信号対雑音比（ＳＮＲ）、信号対干渉雑音比（ＳＩＮＲ）、または受信信号強度インジケータ（ＲＳＳＩ）のうちの少なくとも１つを含む各アンテナについての前記それぞれのダウンリンクチャネル特性を決定することをさらに備える、請求項１に記載の方法。
【請求項４】
前記複数のアンテナの各アンテナについての、前記ダウンリンクチャネル特性として、ダウンリンクチャネル状態情報（ＣＳＩ）を決定することをさらに備える、請求項１に記載の方法。
【請求項５】
前記リソースブロックのセットの前記第１のサブセットおよび前記第２のサブセットを前記複数のアンテナの前記それぞれのアンテナに前記マッピングすることが、
前記複数のアンテナの各アンテナについての前記決定されたダウンリンクＣＳＩに少なくとも部分的に基づいて、個別のリソースブロックを前記複数のアンテナの前記それぞれのアンテナにマッピングすることを備える、請求項４に記載の方法。
【請求項６】
前記ＣＳＩ決定に使用されるサブキャリアが、前記リソースブロックのセットの前記第１のサブセットおよび前記第２のサブセットに対応する、請求項４に記載の方法。
【請求項７】
前記複数のアンテナのうちの前記少なくとも１つのアンテナについての現在のダウンリンクＣＳＩを測定することと、
前記複数のアンテナのうちの前記少なくとも１つのアンテナについての前記ダウンリンクＣＳＩに関する履歴にアクセスすることと
をさらに備え、
各アンテナについての前記ダウンリンクＣＳＩを前記決定することが、前記測定すること、前記アクセスすること、またはそれらの組合せに少なくとも部分的に基づいて、前記複数のアンテナのうちの前記少なくとも１つのアンテナについて前記ダウンリンクＣＳＩを決定することを備える、
請求項４に記載の方法。
【請求項８】
前記第１のアンテナまたは前記第２のアンテナが、前記複数のアンテナのうちの最も高いダウンリンクチャネル状態情報（ＣＳＩ）を有する、請求項１に記載の方法。
【請求項９】
前記それぞれのアンテナ上で１つまたは複数のアップリンク送信を送信するために、前記リソースブロックのセットの前記第１のサブセットおよび前記第２のサブセットのうちの少なくとも１つを前記使用することが、
前記ＵＥのデジタルベースバンドにおいて前記第１のアンテナおよび前記第２のアンテナを選択することを備える、請求項１に記載の方法。
【請求項１０】
前記それぞれのアンテナ上で１つまたは複数のアップリンク送信を送信するために、前記リソースブロックのセットの前記第１のサブセットおよび前記第２のサブセットのうちの少なくとも１つを前記使用することが、
前記ＵＥのアンテナポートにおいて前記第１のアンテナおよび前記第２のアンテナを選択することを備える、請求項１に記載の方法。
【請求項１１】
前記リソースブロックのセットの前記第１のサブセットと前記リソースブロックのセットの前記第２のサブセットとが、共通要素を持たない（disjoint）サブセットを備える、請求項１に記載の方法。
【請求項１２】
ワイヤレス通信のための装置であって、
基地局から、前記装置のためのリソースブロックのセットを備えるアップリンクリソース割振りを受信するための手段と、
前記装置の複数のアンテナの各アンテナについてのそれぞれのダウンリンクチャネル特性を決定するための手段と、前記ダウンリンクチャネル特性は、前記リソースブロックのセットに対応する、ここにおいて、各アンテナについての前記ダウンリンクチャネル特性を前記決定することは、前記複数のアンテナのうちの少なくとも１つのアンテナについての、現在のダウンリンクチャネル特性の測定と前記ダウンリンクチャネル特性に関する履歴とに基づいて、前記少なくとも１つのアンテナについての前記ダウンリンクチャネル特性を決定することを備える、
前記決定されたそれぞれのダウンリンクチャネル特性に少なくとも部分的に基づいて、前記リソースブロックのセットの第１のサブセットを前記複数のアンテナの第１のアンテナに、および、前記リソースブロックのセットの第２のサブセットを前記複数のアンテナの第２のアンテナに、マッピングするための手段と、前記第１のサブセットは前記第２のサブセットとは異なる、
前記マッピングに少なくとも部分的に基づいて、前記複数のアンテナのそれぞれのアンテナ上で１つまたは複数のアップリンク送信を送信するために、前記リソースブロックのセットの前記第１のサブセットおよび前記第２のサブセットのうちの少なくとも１つを使用するための手段と
を備える装置。
【請求項１３】
前記リソースブロックのセットの前記第１のサブセットおよび前記第２のサブセットを前記それぞれのアンテナに前記マッピングすることは、スロットごとまたはサブフレームごとのうちの少なくとも１つで実行される、請求項１２に記載の装置。
【請求項１４】
前記複数のアンテナの各アンテナについての、前記ダウンリンクチャネル特性として、ダウンリンクチャネル状態情報（ＣＳＩ）を決定するための手段をさらに備える、請求項１２に記載の装置。
【請求項１５】
前記リソースブロックのセットの前記第１のサブセットおよび前記第２のサブセットを前記複数のアンテナの前記それぞれのアンテナにマッピングするための前記手段が、
前記複数のアンテナについての前記ダウンリンクＣＳＩに少なくとも部分的に基づいて、個別のリソースブロックを前記複数のアンテナの前記それぞれのアンテナにマッピングするための手段をさらに備える、請求項１４に記載の装置。
【請求項１６】
前記ＣＳＩ決定に使用されるサブキャリアが、前記リソースブロックのセットの前記第１のサブセットおよび前記第２のサブセットに対応する、請求項１４に記載の装置。
【請求項１７】
前記ダウンリンクＣＳＩを決定するための前記手段が、
前記複数のアンテナの各アンテナについての現在のダウンリンクＣＳＩを測定するための手段、前記複数のアンテナの各アンテナについての前記ダウンリンクＣＳＩに関する履歴にアクセスするための手段、またはそれらの組合せをさらに備える、請求項１４に記載の装置。
【請求項１８】
前記複数のアンテナの各アンテナについての前記それぞれのダウンリンクチャネル特性を決定するための前記手段が、
信号対雑音比（ＳＮＲ）、信号対干渉雑音比（ＳＩＮＲ）、または受信信号強度インジケータ（ＲＳＳＩ）のうちの少なくとも１つを決定するための手段をさらに備える、請求項１２に記載の装置。
【請求項１９】
ワイヤレス通信のための装置であって、
プロセッサと、
前記プロセッサと電子通信しているメモリと、
前記メモリに記憶された命令と
を備え、前記命令は、
基地局から、リソースブロックのセットを備えるアップリンクリソース割振りを受信することと、
前記装置の複数のアンテナの各アンテナについてのそれぞれのダウンリンクチャネル特性を決定することと、前記ダウンリンクチャネル特性は、前記リソースブロックのセットに対応する、ここにおいて、各アンテナについての前記ダウンリンクチャネル特性を前記決定することは、前記複数のアンテナのうちの少なくとも１つのアンテナについての、現在のダウンリンクチャネル特性の測定と前記ダウンリンクチャネル特性に関する履歴とに基づいて、前記少なくとも１つのアンテナについての前記ダウンリンクチャネル特性を決定することを備える、
前記決定されたそれぞれのダウンリンクチャネル特性に少なくとも部分的に基づいて、前記リソースブロックのセットの第１のサブセットを前記複数のアンテナの第１のアンテナに、および、前記リソースブロックのセットの第２のサブセットを前記複数のアンテナの第２のアンテナに、マッピングすることと、前記第１のサブセットは前記第２のサブセットとは異なる、
前記マッピングに少なくとも部分的に基づいて、前記複数のアンテナのそれぞれのアンテナ上で１つまたは複数のアップリンク送信を送信するために、前記リソースブロックのセットの前記第１のサブセットおよび前記第２のサブセットのうちの少なくとも１つを使用することと
を行うように前記プロセッサによって実行可能である、装置。
【請求項２０】
前記リソースブロックのセットの前記第１のサブセットおよび前記第２のサブセットを前記それぞれのアンテナにマッピングするための前記命令が、スロットごとまたはサブフレームごとのうちの少なくとも１つで前記リソースブロックのセットの前記第１のサブセットおよび前記第２のサブセットをマッピングするための命令を含む、請求項１９に記載の装置。
【請求項２１】
前記メモリに記憶された前記命令が、
前記複数のアンテナの各アンテナについての、前記ダウンリンクチャネル特性として、ダウンリンクチャネル状態情報（ＣＳＩ）を決定するように前記プロセッサによってさらに実行可能である、請求項１９に記載の装置。
【請求項２２】
前記リソースブロックのセットの前記第１のサブセットおよび前記第２のサブセットをマッピングするための前記命令が、
前記複数のアンテナの各アンテナについての前記決定されたダウンリンクＣＳＩに少なくとも部分的に基づいて、個別のリソースブロックを前記複数のアンテナの前記それぞれのアンテナにマッピングするための命令を含む、請求項２１に記載の装置。
【請求項２３】
前記ＣＳＩ決定に使用されるサブキャリアが、前記リソースブロックのセットの前記第１のサブセットおよび前記第２のサブセットに対応する、請求項２１に記載の装置。
【請求項２４】
前記ダウンリンクＣＳＩを決定するための前記命令が、
前記複数のアンテナの前記うちの少なくとも１つのアンテナについての現在のダウンリンクＣＳＩを測定すること、前記複数のアンテナのうちの前記少なくとも１つのアンテナの前記ダウンリンクＣＳＩに関する履歴にアクセスすること、またはそれらの組合せを行うための命令をさらに含む、請求項２１に記載の装置。
【請求項２５】
前記複数のアンテナの各アンテナについての前記それぞれのダウンリンクチャネル特性を決定するための前記命令は、
信号対雑音比（ＳＮＲ）、信号対干渉雑音比（ＳＩＮＲ）、または受信信号強度インジケータ（ＲＳＳＩ）のうちの少なくとも１つを決定するための命令を含む、請求項１９に記載の装置。
【請求項２６】
前記リソースブロックのセットの前記第１のサブセットと前記リソースブロックのセットの前記第２のサブセットとが、共通要素を持たないサブセットを備える、請求項１９に記載の装置。
【発明の詳細な説明】
【技術分野】
【０００１】
相互参照
[0001]本特許出願は、本出願の譲受人に譲渡された、２０１４年１２月３日に出願された「Ｔｒａｎｓｍｉｔ  Ａｎｔｅｎｎａ  Ｄｉｖｅｒｓｉｔｙ  Ｓｃｈｅｍｅ」と題する、Ｐａｒｋらによる米国特許出願第１４／５５９，６５４号の優先権を主張する。
【０００２】
[0002]本開示は、たとえば、ワイヤレス通信システムに関し、より詳細には、アップリンク送信をユーザ機器（ＵＥ）の１つまたは複数のアンテナにマッピングすることに関する。
【背景技術】
【０００３】
[0003]ワイヤレス通信システムは、音声（voice）、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、各々が、場合によっては（otherwise）ユーザ機器（ＵＥ）として知られる複数の通信デバイスのための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]現在の実装形態では、ＵＥは、アップリンク通信またはダウンリンク通信をサポートする複数のアンテナを含み得る。マルチアンテナＵＥは、たとえば、２次アンテナまたは他のアンテナ上の通信性能（たとえば、スループット、レイテンシなど）が１次アンテナ上の性能を超えることができるとしても、デフォルトで主に１次アンテナを使用して通信し得る。したがって、通信のための１次アンテナまたは２次アンテナの選択および使用を改善するための方法が有益であり得る。
【発明の概要】
【０００６】
[0006]説明される特徴は、一般に、アップリンク送信のためのリソースをＵＥの１つまたは複数のアンテナにマッピングすることによってＵＥのアップリンク通信を改善するための１つまたは複数の改善されたシステム、方法、または装置に関する。一態様では、ＵＥは、基地局からのアップリンク送信のためにＵＥによって使用されるべきリソースブロック（ＲＢ）のセットを含むアップリンクリソース割振りを受信し得る。ＵＥは、割り振られたリソースブロックのサブセットをＵＥの１つまたは複数のアンテナにマッピングし、マッピングされたＲＢ上で保留中のアップリンク送信を送信し得る。いくつかの態様では、ＵＥは、スロットごとにまたはサブフレームごとにＲＢのサブセットをマッピングし得る。また別の態様では、ＵＥは、個別のＲＢごとにマッピングを実行し得る。
【０００７】
[0007]例示的な一実施形態では、ワイヤレス通信の方法が提供される。方法は、ＵＥにおいて、基地局からのアップリンクリソース割振りを受信すること、アップリンクリソース割振りは、リソースブロックのセットを備える、を含み得る。方法はまた、ＵＥによって、リソースブロックのセットのサブセットをＵＥにおける複数のアンテナのうちの１つまたは複数にマッピングすることを含み得る。加えて、方法は、マッピングに少なくとも部分的に基づいて、複数のアンテナのうちの１つまたは複数の上で１つまたは複数のアップリンク送信を送信するために、リソースブロックのセットのサブセットを使用することを含み得る。
【０００８】
[0008]別の例示的な実施形態では、ワイヤレス通信のためのＵＥ装置が提供される。ＵＥ装置は、基地局からのアップリンクリソース割振りを受信するための手段、アップリンクリソース割振りは、リソースブロックのセットを備える、を含み得る。ＵＥ装置はまた、リソースブロックのセットのサブセットをＵＥの複数のアンテナのうちの１つまたは複数にマッピングするための手段を含み得る。加えて、ＵＥ装置は、マッピングに少なくとも部分的に基づいて、複数のアンテナのうちの１つまたは複数の上で１つまたは複数のアップリンク送信を送信するために、リソースブロックのセットのサブセットを使用するための手段を含み得る。
【０００９】
[0009]また別の例示的な実施形態では、ワイヤレス通信のためのＵＥ装置が提供され得る。ＵＥ装置は、プロセッサと、プロセッサと電子通信しているメモリと、メモリに記憶された命令とを含み得る。命令は、基地局からのアップリンクリソース割振りを受信することと、アップリンクリソース割振りは、リソースブロックのセットを備える、リソースブロックのセットのサブセットをＵＥにおける複数のアンテナのうちの１つまたは複数にマッピングすることと、マッピングに少なくとも部分的に基づいて、複数のアンテナのうちの１つまたは複数の上で１つまたは複数のアップリンク送信を送信するために、リソースブロックのセットのサブセットを使用することとを行うようにプロセッサによって実行可能であり得る。
【００１０】
[0010]いくつかの例では、マッピングは、スロットごとにまたはサブフレームごとにのうちの少なくとも１つで実行される。他の例では、リソースブロックのセットのサブセットをマッピングすることは、複数のアンテナの各々についてのダウンリンクチャネル特性を決定することと、ダウンリンクチャネル特性に基づいて、リソースブロックのセットのサブセットを複数のアンテナのうちの１つまたは複数にマッピングすることとを含み得る。複数のアンテナの各々についてのダウンリンクチャネル特性を決定することは、信号対雑音比（ＳＮＲ）、信号対干渉雑音比（ＳＩＮＲ）、または受信信号強度インジケータ（ＲＳＳＩ）のうちの少なくとも１つを含むダウンリンクチャネル特性を決定することをさらに含み得る。
【００１１】
[0011]いくつかの例では、ＵＥは、複数のアンテナについてのダウンリンクチャネル状態情報（ＣＳＩ）を決定し得る。この場合、リソースブロックのセットのサブセットをマッピングすることは、複数のアンテナについてのダウンリンクＣＳＩに基づいて、リソースブロックのセットのサブセットを複数のアンテナのうちの１つまたは複数にマッピングすることを含み得る。ＣＳＩ決定に使用されるサブキャリアは、リソースブロックのセットのサブセットに対応し得る。ダウンリンクＣＳＩを決定することは、複数のアンテナの現在のダウンリンクＣＳＩを測定すること、複数のアンテナの履歴（historical）ＣＳＩを利用すること、またはそれらの組合せをさらに含み得る。
【００１２】
[0012]いくつかの例では、マッピングは、リソースブロックのセットのサブセットを複数のアンテナのうちの最も高いダウンリンクＣＳＩを有する第１のアンテナにマッピングすることをさらに含み得る。リソースブロックのセットのサブセットは、ＵＥのデジタルベースバンドにおいて複数のアンテナのうちの対応するアンテナを選択することによって、１つまたは複数のアップリンク送信を送信するために使用され得る。代替的に、リソースブロックのセットのサブセットは、ＵＥのアンテナポートにおいて複数のアンテナのうちの対応するアンテナを選択することによって、１つまたは複数のアップリンク送信を送信するために使用され得る。
【００１３】
[0013]また別の例示的な実施形態では、ワイヤレス通信の方法が提供される。方法は、ＵＥにおいて、ダウンリンクを介して基地局からのアップリンクリソース割振りを受信することを含み得る。方法はまた、ダウンリンクに関連付けられたＣＳＩを決定することを含み得る。方法は加えて、ＵＥによって、アップリンクリソース割振りに従って、および決定されたＣＳＩに基づいて、１つまたは複数のアップリンク送信をＵＥの１つまたは複数のアンテナにマッピングすることを含み得る。さらに、方法は、マッピングに基づいて、ＵＥの１つまたは複数のアンテナによって１つまたは複数のアップリンク送信を送信することを含み得る。
【００１４】
[0014]いくつかの例では、ダウンリンクに関連付けられたＣＳＩを決定することは、現在のＣＳＩを測定すること、履歴ＣＳＩを利用すること、またはそれらの組合せのうちの少なくとも１つによってＣＳＩを決定することを含み得る。ダウンリンクに関連付けられたＣＳＩを決定することはまた、ＵＥの１つまたは複数のアンテナの各々についてのＣＳＩを決定することを含み得る。
【００１５】
[0015]いくつかの例では、１つまたは複数のアップリンク送信をＵＥの１つまたは複数のアンテナにマッピングすることは、アップリンクリソース割振りにおいて識別された個別のリソースブロックに対応するダウンリンクに関連付けられたＣＳＩに基づき得る。加えて、ＣＳＩは、ＳＮＲ、ＳＩＮＲ、またはＲＳＳＩのうちの少なくとも１つを含み得る。
【００１６】
[0016]上記では、以下の発明を実施するための形態がより良く理解され得るように、本開示による例の特徴および技術的利点をかなり広く概説した。追加の特徴および利点が以下で説明される。開示される概念および具体例は、本開示の同じ目的を実施するための他の構造（structures）を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関して以下の説明を検討するとより良く理解されよう。図の各々は、例示および説明のみのために提供されるものであり、特許請求の範囲の限定の定義として提供されるものではない。
【００１７】
[0017]本開示の性質および利点のさらなる理解は、以下の図面を参照して実現され得る。添付の図では、同様の構成要素または特徴は、同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれか１つに適用可能である。
【図面の簡単な説明】
【００１８】
【図１】[0018]本開示の様々な態様による、ワイヤレス通信システムの図。
【図２】[0019]本開示の様々な態様による、基地局とユーザ機器との間のアップリンク通信およびダウンリンク通信の一例の図。
【図３】[0020]本開示の様々な態様による、基地局とユーザ機器との間のアップリンク通信およびダウンリンク通信の別の例の図。
【図４Ａ】[0021]本開示の様々な態様による、基地局と通信しているユーザ機器が、基地局へのアップリンク送信のための１つまたは複数のアンテナを選択する例のフローブロック図。
【図４Ｂ】本開示の様々な態様による、基地局と通信しているユーザ機器が、基地局へのアップリンク送信のための１つまたは複数のアンテナを選択する例のフローブロック図。
【図５】[0022]本開示の様々な態様による、ワイヤレス通信において使用するために構成されたデバイスのブロック図。
【図６】[0023]本開示の様々な態様による、ワイヤレス通信において使用するために構成された別のデバイスのブロック図。
【図７】[0024]本開示の様々な態様による、ワイヤレス通信において使用するために構成されたユーザ機器のブロック図。
【図８Ａ】[0025]本開示の様々な態様による、ワイヤレス通信において使用するために構成されたユーザ機器の追加の例のブロック図。
【図８Ｂ】本開示の様々な態様による、ワイヤレス通信において使用するために構成されたユーザ機器の追加の例のブロック図。
【図９】[0026]本開示の様々な態様による、多入力／多出力通信システムのブロック図。
【図１０】[0027]本開示の様々な態様による、ワイヤレス通信のための方法の一例を示すフローチャート。
【図１１】本開示の様々な態様による、ワイヤレス通信のための方法の一例を示すフローチャート。
【図１２】本開示の様々な態様による、ワイヤレス通信のための方法の一例を示すフローチャート。
【発明を実施するための形態】
【００１９】
[0028]説明される特徴は、一般に、アップリンク送信のためのリソースをＵＥの１つまたは複数のアンテナに選択的にマッピングすることによってＵＥのアップリンク通信を改善するための１つまたは複数の改善されたシステム、方法、または装置に関する。複数のアンテナとの通信をサポートする現在のＵＥは、たとえば、デフォルトで１次アンテナを使用して通信し得る。しかしながら、２次アンテナまたは他のアンテナ上の通信性能（たとえば、スループット、レイテンシなど）が１次アンテナ上の性能を超えることができるときがあり得る。したがって、たとえば、マルチアンテナＵＥは、通信媒体のばらつきを考慮することなしに測定され得るか、周期的に測定され得るか、または送信に使用される条件と同様の条件下にない場合があるリソースのブロックについて測定され得るといったチャネル応答に基づいて、その上でアップリンクデータを送信するためのアンテナを選択し得る。
【００２０】
[0029]いくつかの場合には、チャネルメトリック（たとえば、チャネル応答、実効ＳＮＲ、またはＲＳＳＩ）は、その上でアップリンクデータを送信するためのアンテナを選択するために使用され得る。しかしながら、いくつかの場合には、チャネル応答またはＳＮＲメトリックは、まれに測定されることがあり、その結果、最良の通信性能を有するアンテナがリアルタイムで選ばれないことがある。加えて、いくつかの場合には、通信媒体のばらつき（たとえば、異なる無線環境）が考慮されないことがあり、その結果、チャネル応答または実効ＳＮＲメトリックは、実際の条件を示さないことがある。また他の場合では、広帯域ＲＳＳＩは、他のチャネル応答メトリックを考慮することなしにアップリンク送信アンテナ選択を通知するために使用され得る。この場合、実効ＳＮＲは、アンテナ選択を通知するために使用されるＲＳＳＩと整合することもあり、整合しないこともあり、したがって、劣悪な（poor）アンテナ選択／通信性能を潜在的に（potentially）もたらす。
【００２１】
[0030]したがって、本開示の一態様では、アップリンクアンテナ選択をより良く通知するために、ＵＥは、基地局からの利用可能なＲＢのセットを識別するアップリンクリソース割振りを受信した後、割り振られたＲＢのサブセットをアップリンク送信のためのＵＥの１つまたは複数のアンテナにマッピングし得る。ＵＥは次いで、マッピングに基づいて、１つまたは複数のアンテナ上で割り振られたＲＢのサブセットを使用して、１つまたは複数のアップリンク送信を送信し得る。加えて、ＵＥは、割り振られたアップリンクリソースに対応するダウンリンクチャネル特性を決定し、決定されたチャネル特性に基づいて、ＲＢのサブセットをＵＥの１つまたは複数のアンテナにマッピングし得る。いくつかの場合には、チャネル特性は、ＳＮＲ、ＳＩＮＲ、またはＲＳＳＩのうちの１つまたは複数を含み得る。
【００２２】
[0031]別の態様では、ＵＥは、ダウンリンク上で、たとえば、基地局からのアップリンクリソース割振りを受信し得、ダウンリンクに関連付けられたＣＳＩを決定し得る。ＵＥは次いで、アップリンクリソース割振りに従って、および決定されたＣＳＩに基づいて、１つまたは複数のアップリンク送信をＵＥの１つまたは複数のアンテナにマッピングし得る。その後（subsequently）、ＵＥは、マッピングに基づいて、選択されたアンテナ上で１つまたは複数のアップリンク送信を送信し得る。いくつかの態様では、ＵＥは、たとえば、各アンテナについてのまたはＵＥのアンテナのグループについての現在のＣＳＩを測定するか、または履歴ＣＳＩを利用することによって、ダウンリンクに関連付けられたＣＳＩを決定し得る。
【００２３】
[0032]以下の説明は例を与えるものであり、特許請求の範囲に記載される範囲、適用可能性、または例を限定するものではない。本開示の範囲から逸脱することなく、説明される要素の機能および構成において変更が行われ得る。様々な例は、適宜、様々な手順または構成要素を省略、置換、または追加し得る。たとえば、説明される方法は、説明される順序とは異なる順序で実行されることがあり、様々なブロックが追加、省略、または組み合わされることがある。また、いくつかの例に関して説明される特徴は、他の例において組み合わされることがある。
【００２４】
[0033]図１は、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信し得る。
【００２５】
[0034]基地局１０５は、１つまたは複数の基地局アンテナを介してＵＥ１１５とワイヤレス通信し得る。基地局１０５のサイトの各々は、それぞれの地理的カバレージエリア１１０のために通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の適切な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局またはスモールセル基地局）を含み得る。異なる技術のための重複する地理的カバレージエリア１１０があり得る。
【００２６】
[0035]いくつかの例では、ワイヤレス通信システム１００は、ロングタームエボリューション（ＬＴＥ（登録商標））／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、または他のタイプのセルに通信カバレージを与え得る。「セル」という用語は、コンテキストに応じて、基地局、基地局に関連付けられたキャリアもしくはコンポーネントキャリア、またはキャリアもしくは基地局のカバレージエリア（たとえば、セクタなど）を表すために使用され得る３ＧＰＰ（登録商標）用語である。
【００２７】
[0036]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルと、フェムトセルと、マイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（たとえば、自宅）を同じくカバーし得、フェムトセルとの関連を有するＵＥ（たとえば、限定加入者グループ（ＣＳＧ）中のＵＥ、自宅内のユーザのためのＵＥなど）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００２８】
[0037]ワイヤレス通信システム１００は、同期動作または非同期動作をサポートし得る。同期動作の場合、基地局は同様のフレームタイミングを有し得、異なる基地局からの送信は時間的にほぼ整合され得る。非同期動作の場合、基地局は異なるフレームタイミングを有し得、異なる基地局からの送信は時間的に整合されないことがある。本明細書で説明される技法は、同期動作または非同期動作のいずれかに使用され得る。
【００２９】
[0038]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤは、論理チャネルを介して通信するためにパケットのセグメンテーションとリアセンブリとを実行し得る。媒体アクセス制御（ＭＡＣ）レイヤは、優先度処理と、トランスポートチャネルへの論理チャネルの多重化とを実行し得る。ＭＡＣレイヤはまた、リンク効率を改善するために、ＭＡＣレイヤにおける再送信を提供するためにハイブリッドＡＲＱ（ＨＡＲＱ）を使用し得る。制御プレーンでは、無線リソース制御（ＲＲＣ）プロトコルレイヤは、ユーザプレーンデータのための無線ベアラをサポートする、ＵＥ１１５と基地局１０５またはコアネットワーク１３０との間のＲＲＣ接続の確立と構成と保守（maintenance）とを行い得る。物理（ＰＨＹ）レイヤにおいて、トランスポートチャネルは物理チャネルにマッピングされ得る。
【００３０】
[0039]ＵＥ１１５はワイヤレス通信システム１００全体にわたって分散され、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３１】
[0040]ワイヤレス通信システム１００に示された通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明された様々な無線技術に従って変調された複数のサブキャリア（たとえば、異なる周波数の波長信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、（たとえば、対スペクトルリソースを使用する）ＦＤＤ動作または（たとえば、不対スペクトルリソースを使用する）ＴＤＤ動作を使用して、双方向通信を送信し得る。ＦＤＤ（たとえば、フレーム構造タイプ１）およびＴＤＤ（たとえば、フレーム構造タイプ２）のためのフレーム構造が定義され得る。
【００３２】
[0041]いくつかの実施形態では、基地局１０５またはＵＥ１１５は、基地局１０５とＵＥ１１５との間の通信品質と信頼性とを改善するために、アンテナダイバーシティ方式を採用するための複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００３３】
[0042]いくつかの事例では、ＵＥ１１５は、通信リンク１２５を介して基地局１０５から、基地局１０５とのアップリンク通信のためにＵＥ１１５によって使用され得る複数のリソースブロック（ＲＢ）を含むアップリンクリソース割振りを受信し得る。本明細書で説明される技法によれば、ＵＥ１１５は、割り振られたＲＢのサブセットを基地局１０５へのアップリンク送信のためのＵＥ１１５の１つまたは複数のアンテナにマッピングし得る。いくつかの事例では、ＵＥ１１５は、通信リンク１２５を介して測定されたダウンリンクチャネル特性に基づいて、ＲＢのサブセットを１つまたは複数のアンテナにマッピングし得る。このようにして、ＵＥ１１５は、たとえば、割り振られたＲＢのサブセットに従って１つまたは複数のアンテナを選ぶことによって、アップリンク通信の性能を高めることができる。加えて、ＵＥは、ＲＢのサブセットを最良のチャネル特性（たとえば、最良のＳＮＲ、ＳＩＮＲ、ＲＳＳＩなど）を有する異なるアンテナにマッピングすることによって、アップリンク通信性能を高めることができる。
【００３４】
[0043]別の態様では、ＵＥ１１５は、たとえば、通信リンク１２５を介して基地局１０５から受信されたアップリンクリソース割振りに対応するダウンリンクに関連付けられたＣＳＩを決定し得る。ＵＥ１１５は次いで、決定されたＣＳＩに基づいて、１つまたは複数の保留中のアップリンクメッセージをＵＥ１１５の１つまたは複数のアンテナにマッピングし得る。ＵＥ１１５は次いで、リソース割振りに従って、および決定されたＣＳＩに基づいて、１つ１つまたは複数のアンテナを介して、通信リンク１２５を介して１つまたは複数のアップリンクメッセージを送信し得る。これらの技法を使用して、ＵＥは、アップリンク通信における性能利得を実現することができる。
【００３５】
[0044]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３６】
[0045]図２を参照すると、ダウンリンク２１０とアップリンク２１５とを介して通信する基地局１０５−ａとＵＥ１１５−ａとを含むワイヤレス通信システム２００が示されている。ワイヤレス通信システム２００は、図１のワイヤレス通信システム１００の一例であり得る。同様に、基地局１０５−ａまたはＵＥ１１５−ａは、図１を参照しながら説明された基地局１０５およびＵＥ１１５の１つまたは複数の態様の一例であり得る。ダウンリンク２１０ならびにアップリンク２１５−ａ、２１５−ｂ、および２１５-ｘは、やはり（also）図１を参照して説明された通信リンク１２５の例であり得る。
【００３７】
[0046]一例では、ＵＥ１１５−ａは、基地局１０５−ａとの通信リンク、たとえば、通信リンク１２５を確立し得る。基地局１０５−ａは、ＵＥ１１５−ａによる要求時に、周期的に、など、アップリンクメッセージングに使用するためにＵＥ１１５−ａが利用可能なアップリンクリソースを決定し得る。基地局１０５−ａは次いで、ダウンリンク２１０上で、アップリンクリソース割振りをＵＥ１１５−ａに送信し得る。
【００３８】
[0047]いくつかのシナリオでは、ＵＥ１１５−ａは、複数のアンテナ２０５−ａ、２０５−ｂ、および２０５−ｘを装備し得る。ＵＥ１１５−ａは、１つまたは複数のアンテナ２０５を１次アンテナとして指定することができ、その結果、指定された１次アンテナ２０５は、デフォルトでメッセージングを受信および送信することができる。１次アンテナ２０５ではない他のアンテナ２０５は、トリガ条件が生じるまで、スリープまたは非アクティブ状態のままであり得る。トリガ条件は、たとえば、ＵＥ１１５−ａによる送信のために保留中のデータ、基地局１０５−ａからのシグナリングなどを含み得る。いくつかの場合には、ＵＥ１１５−ａは、１つのアンテナ２０５を受信アンテナとして指定し、１つまたは複数の潜在的に異なるアンテナ２０５を送信アンテナとして指定することができる。したがって、ＵＥ１１５−ａは、１つまたは複数のアンテナ２０５−ａ〜２０５−ｘを用いて、ダウンリンク２１０上で送られたアップリンクリソース割振りを受信し得る。
【００３９】
[0048]現在の実装形態では、ＵＥ１１５−ａは、受信されたアップリンクリソース割振りに従って、保留中のアップリンクデータのためのリソースを割り振り、１次アンテナまたは指定されたアンテナ２０５上でアップリンクデータを送信することができる。いくつかの場合には、指定されたアンテナまたは１次アンテナ２０５上でアップリンクデータを送信することは、所望の通信性能、たとえば、レイテンシ、スループットなどをもたらさないことがある。１次アンテナまたは指定されたアンテナのみの使用から生じる性能低下は、指定されたアンテナ２０５によって利用されるときの、割り振られたリソース上の劣悪なチャネル状態または特性（たとえば、ＣＳＩ）に起因し得る。しかしながら、割り振られたリソースをアップリンク送信のためのＵＥ１１５−ａの複数のアンテナ２０５に選択的にマッピングすることによって、アップリンク通信性能が高まり得る。
【００４０】
[0049]一例では、ＵＥ１１５−ａは、３つのアンテナ２０５−ａ、２０５−ｂ、および２０５−ｘを装備し得る。ＵＥ１１５−ａはまた、任意の数のアンテナを含み得る。ＵＥ１１５−ａは、ダウンリンク２１０上でアップリンクリソース割振りを受信した後、割り振られたリソースの部分（たとえば、割り振られたリソースのセットのＲＢのサブセット）をアンテナ２０５−ａ、２０５−ｂ、および２０５−ｘの各々にマッピングし得る。ＵＥは次いで、それぞれ、アップリンク２１５−ａ、２１５−ｂ、および２１５−ｘを介してアンテナ２０５−ａ、２０５−ｂ、および２０５−ｘを使用して、１つまたは複数のアップリンクメッセージまたは送信（たとえば、別個のメッセージまたは１つのメッセージの部分）を送信し得る。いくつかの場合には、ＵＥ１１５−ａは、割り振られたアップリンクリソースに対応するダウンリンク２１０のチャネル特性を（たとえば、１つまたは複数のサブキャリアを介して）決定または測定し得る。いくつかの場合には、各アンテナ２０５についてのチャネル特性が測定または決定され得る。他の場合には、ＵＥ１１５−ａは、複数のアンテナ２０５についてのＣＳＩを決定し得る。いずれの場合も、ＵＥ１１５−ａは次いで、アンテナ２０５−ａ、２０５−ｂ、および２０５−ｘへのリソースマッピングを、ダウンリンクの決定されたチャネル特性／ＣＳＩに基づかせ得る。いくつかの場合には、チャネル特性は、ＳＮＲ、ＳＩＮＲ、もしくはＲＳＳＩ、または他の同様のメトリックを含み得る。このようにして、ＵＥ１１５−ａは、アップリンク通信性能を改善するために、アップリンク送信のために割り振られたリソースのサブセットを複数のアンテナ２０５にわたってより良く割り振ることができる。
【００４１】
[0050]別の例では、ＵＥ１１５−ａは、ダウンリンク２１０上でアップリンクリソース割振りを受信し得る。ＵＥ１１５−ａは、ダウンリンク２１０の履歴ＣＳＩを測定するか、またはアクセスすることができる。ＵＥ１１５−ａは次いで、たとえば、各アップリンク２１５−ａ、２１５−ｂ〜２１５−ｘ上でのスループット、レイテンシなどを最大化または改善するために、アップリンクリソース割振りに従って、および決定されたＣＳＩに基づいて、１つまたは複数のアップリンク送信をアンテナ２０５−ａ、２０５−ｂ〜２０５−ｘのうちの１つまたは複数にマッピングし得る。
【００４２】
[0051]図３を参照すると、ダウンリンク２１０−ａとアップリンク２１５−ｃ、２１５−ｄとを介して通信する基地局１０５−ｂとＵＥ１１５−ｂとを含むワイヤレス通信システム３００が示されている。ワイヤレス通信システム３００は、図１または図２のワイヤレス通信システム１００または２００の一例であり得る。同様に、基地局１０５−ｂまたはＵＥ１１５−ｂは、図１または図２を参照しながら説明された基地局１０５およびＵＥ１１５の１つまたは複数の態様の例であり得る。ダウンリンク２１０−ａおよびアップリンク２１５−ｃ、２１５−ｄは、図２を参照しながら説明されたダウンリンク２１０またはアップリンク２１５の１つまたは複数の態様の例であり得る。
【００４３】
[0052]いくつかのシナリオでは、基地局１０５−ｂは、ダウンリンク２１０−ａ上でアップリンクリソース割振り３０５をＵＥ１１５−ｂに送信し得る。アップリンクリソース割振り３０５は、アップリンク通信のためにＵＥ１１５−ｂによって使用され得る特定の（certain）ＲＢ３１０を指定し得る。いくつかの場合には、アップリンクリソース割振り３０５は、所与の時間期間の間またはトリガ条件が生じるまで、有効であり得る。一例では、アップリンクリソース割振り３０５は、アップリンク送信のためにＵＥ１１５−ｂが使用するためのＲＢ２、３、４、１１、１３、１４、９７、９８、および１００を指定し得る。一例では、最大１００個のＲＢが２０ＭＨｚで動作するＬＴＥ通信システムにおけるアップリンク通信のために利用可能であり得ること（たとえば、ＲＢ当たり１２個のサブキャリア、合計で１２００個のサブキャリア）を諒解されたい。システム／チャネル帯域幅、基地局１０５−ｂのサービングセルの輻輳などに基づいて、他の数のＲＢがアップリンク割振りのために利用可能であり得ることを諒解されたい。
【００４４】
[0053]ＵＥ１１５−ｂは、２つのアンテナ２０５−ｃ、２０５−ｄを装備し得る。ＵＥ１１５−ｂは任意の数のアンテナ２０５を装備し得ることを諒解されたい。いくつかの場合には、ＵＥ１１５−ｂは、アンテナ２０５−ｃ、２０５−ｄのうちの１つのみを使用して、アップリンクリソース割振り３１０を受信し得る（たとえば、ＵＥ１１５−ｂが以前にまたは現在、スリープまたは非アクティブ状態であった場合）。他の場合には、ＵＥ１１５−ｂは、両方のアンテナ２０５−ｃ、２０５−ｄを使用して、アップリンクリソース割振り３１０を受信し得る。いずれの場合も、ＵＥ１１５−ｂは次いで、割り振られたＲＢ３１０のサブセットをアップリンク送信のためのアンテナ２０５−ｃ、２０５−ｄの各々にマッピングし得る。一例では、ＵＥは、ＲＢ１１、１４、９７、９８、および１００をアンテナ２０５−ｃにマッピングし、アップリンク２１５−ｃを介してこれらのＲＢ上で１つまたは複数のアップリンクメッセージを送信し得る。ＵＥは加えて、ＲＢ２、３、４、および１３をアンテナ２０５−ｄにマッピングし、アップリンク２１５−ｄを介してこれらのＲＢ上で１つまたは複数のアップリンクメッセージを送信し得る。任意の他の構成またはＵＥ１１５−ｂの異なるアンテナ２０５へのＲＢのマッピングが本明細書において企図されることを諒解されたい。
【００４５】
[0054]いくつかの実装形態では、ＵＥ１１５−ｂは、たとえば、ＵＥ１１５−ｂ上で動作する１つまたは複数のプロセッサの異なる処理能力、粒度要件などに適応するために、スロットごとにまたはサブフレームごとにＲＢを各アンテナ２０５−ｃ、２０５−ｄにマッピングし得る。たとえば、ＵＥ１１５−ｂが物理アップリンク制御チャネル（ＰＵＣＣＨ）または物理アップリンク共有チャネル（ＰＵＳＣＨ）を介して送信するとき、または周波数ホッピングが有効化されているとき、ＵＥ１１５−ｂは、スロットごとにＲＢを各アンテナ２０５−ｃ、２０５−ｄにマッピングし得る。
【００４６】
[0055]いくつかの態様では、ＵＥ１１５−ｂは、たとえば、アップリンクリソース割振り３０５を受信するとき、ダウンリンク２１０−ａのチャネル特性またはＣＳＩを測定／決定し得る。決定されたチャネル特性は、アップリンクリソース割振り３１０におけるアップリンク通信のために割り振られたＲＢ３１０のいくつかまたはすべてに対応し得る。ＵＥ１１５−ｂは次いで、アンテナ２０５−ｃ、２０５−ｄへの割り振られたＲＢのマッピングを、決定されたチャネル特性またはＣＳＩに少なくとも部分的に基づかせ得る。一態様では、ＵＥ１１５−ｂは、各アンテナ２０５−ｃ、２０５−ｄについての／によるダウンリンク２１０−ａのチャネル特性またはＣＳＩを決定し得る。他の態様では、ＵＥ１１５−ｂは、たとえば、各アンテナ２０５−ｃ、２０５−ｄを介して決定された応答の平均を取ることによって、またはアンテナ２０５−ｃ、２０５−ｄのうちの１つのみによって決定された応答に基づいて（たとえば、１つのみのアンテナ２０５が１次受信アンテナとして設定されている／アクティブである場合）、両方のアンテナ２０５−ｃ、２０５−ｄについて集合的にチャネル特性またはＣＳＩを決定し得る。ＵＥ１１５−ｂは、リアルタイムでチャネル特性またはＣＳＩを測定することによって、ＣＳＩの履歴チャネル特性情報またはそれらの組合せにアクセスすることによって、ダウンリンク２１０−ａに関連付けられたＣＳＩを決定し得る。
【００４７】
[0056]いくつかの場合には、決定されたチャネル特性は、ＳＮＲ、ＳＩＮＲ、もしくはＲＳＳＩ、または他の同様のメトリックを含み得る。送信に使用されるＲＢのブロック全体ではなく（rather than）、個別のＲＢまたはＲＢのサブセットについてのチャネル特性を決定することによって、ＲＢがより良く選ばれ、送信のための特定のアンテナに割り振られ得、その結果、より正確なチャネル特性が選択に使用され得る。たとえば、アップリンク送信がＰＵＣＣＨを介して送られるシナリオでは、スロット当たり１つのＲＢがデータでコード化され得る。しかしながら、連続するスロット中のＰＵＣＣＨ用にコード化されたＲＢは、最大距離離れている場合があり、これは、（たとえば、ＬＴＥでの２０ＭＨｚ動作においてスロット当たり１００個のＲＢがあるとき）第１のスロット中のコード化されたＲＢは位置ＲＢ０にあり得るが、第２のスロット中のコード化されたＲＢは位置ＲＢ１００にあり得ることを意味する。より小さいサブセットさらには個別のＲＢについて決定されたチャネル特性を使用することによって、ＲＢ選択のために広帯域チャネル特性（たとえば、ワイドＲＳＳＩ）を使用する（たとえば、大きく異なる場合があるＲＢ１および１００のチャネル特性を使用する）不正確さが大幅に低減され得る。他のシナリオでは、説明される技法は、ＰＵＳＣＨに同様に適用され、同様の性能利得と利益とをもたらし得る。
【００４８】
[0057]いくつかの場合には、説明される技法は、ＵＥ１１５−ｂの電力消費量を低減することができ、特にＰＵＣＣＨについて性能（たとえば、スループット、レイテンシ、干渉を低減する、など）を高めることができる。いくつかの場合には、説明される技法は、ＵＥ１１５−ｂの現在の送信ダイバーシティアンテナ切替え機能を利用し、適合することなどによって、ハードウェアの変更を必要とすることなしに実装され得る。他の状況では、以下でより詳細に説明されるようにハードウェア変更が行われ得る。
【００４９】
[0058]図４Ａを参照すると、様々な実施形態による、互いと通信している基地局１０５−ｃとＵＥ１１５−ｃとを含むワイヤレス通信システム４００−ａが示されている。ワイヤレス通信システム４００−ａは、図１、図２、または図３のワイヤレス通信システム１００、２００、または３００の一例であり得る。同様に、基地局１０５−ｃまたはＵＥ１１５−ｃは、図１、図２、または図３を参照しながら説明された基地局１０５およびＵＥ１１５の１つまたは複数の態様の例であり得る。基地局１０５−ｃおよびＵＥ１１５−ｃは、図２または図３を参照して上記で説明されたように、ダウンリンク２１０またはアップリンク２１５を介して通信し得る。
【００５０】
[0059]基地局１０５−ｃは最初に、たとえば、ＵＥ１１５−ｃの検出時にまたはＵＥ１１５−ｃからのリソースの要求の受信時に、（ブロック４０５において）ＵＥ１１５−ｃのためのアップリンク通信のために利用可能なＲＢを決定し得る。基地局１０５−ｃは次いで、（ブロック４１０において）アップリンク（ＵＬ）ＲＢ割振りをＵＥ１１５−ｃに送信し得る。たとえば、アンテナのうちの１つまたは複数（たとえば、図２または図３のアンテナ２０５）によって、アップリンクリソース割振りを受信すると、ＵＥ１１５−ｃは次いで、４１０において送られたＵＬ  ＲＢ割振りに従って、（ブロック４１５において）基地局１０５−ｃからのメッセージングを監視し得る。ＵＥ１１５−ｃによる監視と並行して、または４１０においてＵＬ  ＲＢ割振りを送信した後、基地局１０５−ｃは、メッセージング４２０−ａ〜４２０−ｘを介して、割り振られたＵＬ  ＲＢに対応するＤＬ  ＲＢを介してメッセージングを送信し得る。ダウンリンクメッセージング４２０−ａ〜４２０−ｘが送信しているＤＬ  ＲＢは、ＵＬ  ＲＢ割振りまたは許可において指定されたＲＢと（たとえば、時分割複信（ＴＤＤ）動作において）同じまたは同様のリソースに対応し得る。いくつかの場合には、基地局１０５−ｃは、（ブロック４１０において）ＵＬ  ＲＢ割振りにおいて割り振られたＵＬ  ＲＢと同じチャネル特性を有すると予測されたまたは予測されるＤＬ  ＲＢ上でメッセージング４２０−ａ〜４２０−ｘを送信し得る。割り振られたＵＬ  ＲＢに対応すべきＤＬ  ＲＢの選択は、履歴情報などに基づき得る。いくつかの場合には、ＤＬメッセージング４２０−ａ〜４２０−ｘは、ＵＬ  ＲＢ割振りにおいて割り振られたＵＬ  ＲＢと同じサブキャリアを介して送信され得る。
【００５１】
[0060]（ブロック４１５において）基地局１０５−ｃからのメッセージングを監視した後、ＵＥ１１５−ｃは次いで、（ブロック４２５において）割り振られたＵＬ  ＲＢに対応するＲＢのＣＳＩ（またはチャネル特性）を決定し得る。いくつかの場合には、決定することは、ダウンリンクメッセージング４２０のＣＳＩを測定すること、ダウンリンクＣＳＩに関する履歴情報にアクセスすること、またはそれらの組合せを含み得る。
【００５２】
[0061]ＵＬ  ＲＢ割振りと決定されたＣＳＩ（チャネル特性）とに基づいて、ＵＥ１１５−ｃは次いで、（ブロック４３０において）割り振られたＲＢを介した後続のアップリンク通信のための１つまたは複数のアンテナ（たとえば、アンテナ２０５）を選択し得る。１つまたは複数のアンテナを選択することは、（ブロック４１０において）送られたＵＬ  ＲＢ割振りにおいて識別された、割り振られたＲＢのセットからの、ＲＢの１つまたは複数のサブセットなどの１つまたは複数のＲＢを、ＵＥ１１５−ｃの１つまたは複数のアンテナにマッピングすることを含み得る。いくつかの場合には、ＵＥ１１５−ｃは、個別のＲＢをアップリンク送信のためのＵＥ１１５−ｃの１つまたは複数のアンテナにマッピングし得る。
【００５３】
[0062]１つのシナリオでは、ＵＥ１１５−ｃは、ＲＢのサブセットをＵＥ１１５−ｃの複数のアンテナのうちの最も高いダウンリンクＣＳＩを有するＵＥ１１５−ｃの１つのアンテナにマッピングし得る。他のシナリオでは、ＵＥ１１５−ｃは、ＲＢのサブセットをＵＥ１１５−ｃの複数のアンテナにマッピングし得る。
【００５４】
[0063]図４Ｂを参照すると、様々な実施形態による、互いと通信している基地局１０５−ｄとＵＥ１１５−ｄとを含むワイヤレス通信システム４００−ｂが示されている。ワイヤレス通信システム４００−ｂは、図１、図２、または図３のワイヤレス通信システム１００、２００、または３００の一例であり得る。同様に、基地局１０５−ｄまたはＵＥ１１５−ｄは、図１、図２、図３、または図４を参照しながら説明された基地局１０５およびＵＥ１１５の１つまたは複数の態様の一例であり得る。基地局１０５−ｄおよびＵＥ１１５−ｄは、図２または図３を参照して上記で説明されたように、ダウンリンク２１０またはアップリンク２１５を介して通信し得る。ＵＥ１１５−ｄは、２つのアンテナＡＮＴ１  ２０５−ｅおよびＡＮＴ２  ２０５−ｆを装備し得る。しかしながら、ＵＥ１１５−ｄは、任意の数のアンテナ２０５を装備し得ることを諒解されたい。アンテナ２０５−ｅ、２０５−ｆは、図２または図３を参照して上記で説明されたアンテナ２０５の１つまたは複数の態様を含み得る。
【００５５】
[0064]図４Ａを参照して同様に説明されたように、基地局１０５−ｄは最初に、（ブロック４０５−ａにおいて）ＵＥ１１５−ｄによるアップリンク通信のために利用可能なＲＢを決定し得る。基地局１０５−ｄは次いで、ダウンリンク（たとえば、図２または図３のダウンリンク２１０）を介して、（ブロック４１０−ａにおいて）ＵＬ  ＲＢ割振りをＵＥ１１５−ｄに送信し得る。ＵＥは、アンテナＡＮＴ１  ２０５−ｅおよびアンテナＡＮＴ  ２  ２０５−ｆを介して、（ブロック４１０−ａにおいて）送信されたＵＬ  ＲＢ割振りを受信し得る。本明細書において企図される他の例では、ＵＥ１１５−ｄは、アンテナＡＮＴ１  ２０５−ｅまたはアンテナＡＮＴ２  ２０５−ｆのうちの１つのみを用いてＵＬ  ＲＢ割振りを受信し得ることを諒解されたい。
【００５６】
[0065]ＵＬ  ＲＢ割振りを受信した後、ＵＥ１１５−ｄは次いで、（ブロック４４０において）割り振られたＵＬ  ＲＢに対応するいくつかまたはすべてのＤＬ  ＲＢを監視するために、アンテナＡＮＴ１  ２０５−ｅまたはアンテナＡＮＴ２  ２０５−ｆの一方または両方を選択し得る。加えて、（ブロック４１０−ａにおいて）ＵＬ  ＲＢ割振りを送信した後、基地局１０５−ｄは、ＵＬ  ＲＢ割振りにおいて識別されたＲＢに対応するＲＢを介して、１つまたは複数のＤＬメッセージング４２０−ｂ〜４２０−ｘをＵＥ１１５−ｅに送信し得る。
【００５７】
[0066]（ブロック４４０における）ＤＬ  ＲＢを監視するためのアンテナＡＮＴ  １  ２０５−ｅまたはアンテナＡＮＴ２  ２０５−ｆの選択に従って、ＵＥ１１５−ｄは次いで、（ブロック４１５−ａにおいて）基地局１０５−ｄから、ＵＬ  ＲＢ割振りにおいて識別されたＲＢに対応するＤＬメッセージング４２０を監視し得る。各アンテナＡＮＴ１  ２０５−ｅおよびアンテナＡＮＴ２  ２０５−ｆは次いで、（ブロック４１５−ａにおいて）実行された監視に基づいて、（ブロック４４５−ａおよび４４５−ｂにおいて）選択されたＤＬ  ＲＢのＣＳＩを測定し得る。ＵＥ１１５−ｄは、（ブロック４５０において）、測定されたＣＳＩに基づいて、およびＵＬ  ＲＢ割振りに基づいて、ＵＬ通信のためのアンテナＡＮＴ１  ２０５−ｅおよびアンテナＡＮＴ２  ２０５−ｆのうちの１つまたは複数を選択し得る。アンテナＡＮＴ１  ２０５−ｅおよびアンテナＡＮＴ２  ２０５−ｆのうちの１つまたは複数を選択することは、（ブロック４１０−ａにおいて）送られたＵＬ  ＲＢ割振りにおいて識別された、割り振られたＲＢのセットからの、ＲＢの１つまたは複数のサブセットなどの１つまたは複数のＲＢを、アンテナＡＮＴ１  ２０５−ｅおよびアンテナＡＮＴ２  ２０５−ｆのうちの１つまたは複数にマッピングすることを含み得る。ＵＥ１１５−ｄは次いで、（ブロック４５０において）実行されたマッピング／選択に従って、アンテナＡＮＴ１  ２０５−ｅまたはアンテナＡＮＴ２  ２０５−ｆを介してアップリンクメッセージングを送信し得る。
【００５８】
[0067]図５は、本開示の様々な態様による、ワイヤレス通信において使用するためのデバイス５０５のブロック図５００を示す。デバイス５０５は、図１、図２、図３、図４Ａ、または図４Ｂを参照しながら説明されたＵＥ１１５の１つまたは複数の態様の一例であり得る。デバイス５０５は、受信機モジュール５１０と、ＵＬアンテナマッピングモジュール５１５と、複数の送信アンテナ（たとえば、２０５）を含み得る送信機モジュール５２０とを含み得る。デバイス５０５はまた、プロセッサ（図示せず）であるか、またはプロセッサを含み得る。これらのモジュールの各々は、互いと通信していることがある。
【００５９】
[0068]デバイス５０５の構成要素は、個々にまたは集合的に、適用可能な機能のいくつかまたはすべてをハードウェアで実行するように適合された１つまたは複数の特定用途向け集積回路（ＡＳＩＣ）を使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリに組み込まれた命令を用いて実装され得る。
【００６０】
[0069]受信機モジュール５１０は、パケット、ユーザデータ、または様々な情報チャネル（たとえば、制御チャネル、データチャネルなど）に関連付けられた制御情報などの情報を受信し得る。受信機モジュール５１０は、たとえば、基地局１０５から送信されたアップリンクリソース割振り（たとえば、図４Ａおよび図４Ｂのブロック４１０におけるＵＬリソース／ＲＢ割振り）を受信するように構成され得る。受信機モジュール５１０は、ＵＬリソース割振りにおいて、ＵＬ  ＲＢのセットなどのＵＬ  ＲＢを識別し得る。たとえば、ＵＬリソース割振りから識別されたＲＢの１つまたは複数の識別子を含む情報は、ＵＬアンテナマッピングモジュール５１５に、およびデバイス５０５の他の構成要素（図示せず）に渡され得る。別の例では、受信機モジュール５１０は、受信されたＵＬリソース割振りをＵＬアンテナマッピングモジュール５１５に通信し得る。ＵＬアンテナマッピングモジュール５１５は次いで、ＵＬリソース割振りからＲＢを識別し得る。
【００６１】
[0070]いずれの場合も、ＵＬアンテナマッピングモジュール５１５は、たとえば、デバイス５０５の１つまたは複数の送信機モジュール５２０において実装される、アップリンク送信に利用可能ないくつかの（a number of）送信アンテナ（たとえば、アンテナ２０５）を識別し得る。いくつかの場合には、ＵＬアンテナマッピングモジュール５１５は、この情報を要求し、その後、送信機モジュール５２０からこの情報を受信し得る。ＵＬアンテナマッピングモジュール５１５は、たとえば、周期的に、ＵＬリソース割振りに関連付けられた情報が受信機モジュール５１０によって通信された後に、ランダムに、など、識別を実行し得る。いくつのアンテナがアップリンク送信のためにサポートされるか／利用可能であるかを決定すると、ＵＬアンテナマッピングモジュール５１５は次いで、割り振られたＵＬ  ＲＢのセットのうちの識別されたＲＢのサブセットを、送信機モジュール５２０において実装された１つまたは複数のアンテナにマッピングし得る。
【００６２】
[0071]送信機モジュール５２０は、デバイス５０５の他の構成要素から受信された１つまたは複数の信号を送信し得る。一態様では、送信機モジュール５２０は、ＵＬアンテナマッピングモジュール５１５からマッピング情報を受信した後、受信されたマッピング情報に従って、１つまたは複数のアップリンク送信を送信し得る。いくつかの場合には、ＵＬアンテナマッピングモジュール５１５はまた、１つまたは複数のアップリンク送信を構成し、割り振られたＲＢのサブセットを送信機モジュール５２０の１つまたは複数のアンテナにマッピングし、１つまたは複数のアップリンク送信またはメッセージを送信するよう送信機モジュール５２０に命令し得る。いくつかの例では、送信機モジュール５２０は、トランシーバモジュール（図示せず）において受信機モジュール５１０とコロケートされ得る。
【００６３】
[0072]いくつかの態様では、ＵＬアンテナマッピングモジュール５１５は、スロットごとにまたはサブフレームごとに、割り振られたアップリンクリソースのセットのＲＢのサブセットまたは個別のＲＢを、送信機モジュール５２０の１つまたは複数のアンテナにマッピングし得る。デバイス５０５／送信機モジュール５２０がＰＵＣＣＨを介して通信するシナリオでは、または周波数ホッピングが実装されるとき、スロットごとにアンテナをマッピングすることは特に有用であり得る。
【００６４】
[0073]図６は、様々な例による、ワイヤレス通信において使用するためのデバイス５０５−ａのブロック図６００を示す。デバイス５０５−ａは、図１、図２、図３、図４Ａ、または図４Ｂを参照しながら説明されたＵＥ１１５の１つまたは複数の態様の一例であり得る。デバイス５０５−ａはまた、図５を参照しながら説明されたデバイス５０５の一例であり得る。デバイス５０５−ａは、デバイス５０５の対応するモジュールの例であり得る、受信機モジュール５１０−ａと、ＵＬアンテナマッピングモジュール５１５−ａと、送信機モジュール５２０−ａとを含み得る。デバイス５０５−ａはまた、プロセッサ（図示せず）を含み得る。これらの構成要素の各々は、互いと通信していることがある。ＵＬアンテナマッピングモジュール５１５−ａは、ＣＳＩモジュール６１５、ＤＬ／ＵＬ  ＲＢ対応モジュール６１０、およびＵＬアンテナ選択モジュール６２０のうちの１つまたは複数をさらに含み得る。受信機モジュール５１０−ａおよび送信機モジュール５２０−ａは、それぞれ、図５の受信機モジュール５１０および送信機モジュール５２０の機能を実行し得る。
【００６５】
[0074]受信機モジュール５１０−ａは、たとえば、基地局１０５から、デバイス５０５−ａが使用するために識別されたＲＢのセットを含むＵＬリソース割振りを受信した後、ＵＬリソース割振り／許可に関連付けられた情報をＤＬ／ＵＬ  ＲＢ対応モジュール６１０に通信し得る。ＤＬ／ＵＬ  ＲＢ対応モジュール６１０は最初に、割り振られたＵＬ  ＲＢのセットのうちのＲＢまたはＲＢのサブセットを識別し得る。ＤＬ／ＵＬ  ＲＢ対応モジュール６１０は次いで、たとえば、ＵＬリソース割振り（たとえば、ブロック４１０におけるＵＬリソース割振り）が（たとえば、ダウンリンク２１０を介して）送信されたＤＬ  ＲＢを、割り振られたＵＬ  ＲＢのサブセットまたは個別のＲＢに関連付け得る。関連付けは、たとえば、ＲＢのサブセットをデバイス５０５−ａの異なるアンテナにマッピングすることをより良く通知するために、アップリンクとダウンリンクとの間の同様のチャネル特性に基づき得る。いくつかの場合には、アップリンクとダウンリンクとの間にチャネル特性の相反性が存在するＴＤＤシステムなどでは、ＤＬ／ＵＬ  ＲＢ対応モジュール６１０は、割り振られたＵＬ  ＲＢ／ＲＢのサブセットを同じ対応するＤＬ  ＲＢにマッピングし得る。他の場合には、ＤＬ／ＵＬ  ＲＢ対応モジュール６１０は、同様の履歴チャネル特性／ＣＳＩ、同様の予測チャネル特性／ＣＳＩに基づいて、または、たとえば、ＣＳＩモジュール６１５から受信もしくはアクセスされた、他の手段もしくは対応関係によって、ＤＬ  ＲＢをＵＬ  ＲＢにマッピングし得る。いくつかの場合には、ＤＬ  ＲＢは、ＤＬ送信に使用される割り振られたアップリンクＲＢの同じまたは同様のサブキャリアに基づいて選択され得る。いくつかの場合には、ＤＬ  ＲＢは、受信されたＵＬリソース割振りにおいて識別されたＵＬ  ＲＢと同じＲＢではないことがある。ＤＬ／ＵＬ  ＲＢ対応モジュール６１０は次いで、対応情報をＣＳＩモジュール６１５に通信し得る。
【００６６】
[0075]ＣＳＩモジュール６１５は次いで、ＤＬ／ＵＬ  ＲＢ対応モジュール６１０によって通信された対応情報に従って、割り振られたアップリンクＲＢに対応するＤＬ  ＲＢのＣＳＩ情報を収集／記録するよう受信機モジュール５１０−ａに命令し得る。いくつかの場合には、ＣＳＩモジュール６１５は、割り振られたＵＬ  ＲＢに対応するＤＬ  ＲＢのうちのいくつかを代表するＣＳＩのみを収集するよう受信機モジュール５１０−ａに命令し得る（たとえば、ＲＢのサブセットを代表する１つのＲＢ、または複数のサブキャリアを代表する１つのサブキャリアなど）。いくつかの場合には、ＤＬ／ＵＬ  ＲＢ対応モジュール６１０は、より大きいグループのＲＢ／サブキャリアについて監視されるべき代表的なＤＬ  ＲＢ／サブキャリアを選択し得る。他の場合には、ＣＳＩモジュール６１５はこの情報を決定し得る。
【００６７】
[0076]受信機モジュール５１０−ａは、要求されたＣＳＩ情報を集め、結果をＵＬアンテナマッピングモジュール５１５−ａに、いくつかの場合には、ＣＳＩモジュール６１５またはＵＬアンテナ選択モジュール６２０に通信することができる。いくつかの場合には、ＣＳＩモジュール６１５は、たとえば、将来使うために、受信機モジュール５１０−ａによって収集されたＣＳＩ情報を記憶し得る。ＵＬアンテナ選択モジュール６２０は次いで、受信されたＵＬリソース割振りに基づいて、およびＵＬ  ＲＢのサブセットまたは個別のＵＬ  ＲＢに対応するダウンリンクＣＳＩに基づいて、ＵＬ  ＲＢの割り振られたセットのうちのＵＬ  ＲＢのサブセットを送信機モジュール５２０−ａの１つまたは複数のアンテナ２０５−ｇ、２０５−ｈにマッピングし得る。このようにして、デバイス５０５−ａのＵＬ通信性能は、たとえば、変化するチャネル特性／ＣＳＩを考慮するために、利用可能なリソースをデバイス５０５−ａのアンテナ２０５−ｇ、２０５−ｈにより正確にマッピングすることによって、高められ得る。
【００６８】
[0077]いくつかの場合には、ＵＬアンテナ選択モジュール６２０は、ＵＬ  ＲＢの割り振られたセットのうちのＵＬ  ＲＢのサブセットを最も高いまたは最も大きいＣＳＩを有するアンテナ２０５−ｇ、２０５−ｈのアンテナにマッピングし得る。いくつかの場合には、たとえば、送信媒体が混雑していない（たとえば、高いレベルの干渉を受けていない）とき、またはアンテナ２０５−ｇ、２０５−ｈのうちの一方のアンテナを介したＲＢのチャネル特性がアンテナ２０５−ｇ、２０５−ｈのうちの他方のアンテナの場合よりもはるかに大きいとき、アップリンク送信のための１つのアンテナ２０５−ｇ、２０５−ｈを選択することは、アップリンク通信のための所望のスループット、レイテンシなどをもたらし得る。
【００６９】
[0078]いくつかの実装形態では、受信機モジュール５１０−ａおよび送信機モジュール５２０−ａは、単一のトランシーバモジュール（図示せず）においてコロケートされ得る。この例では、アンテナ２０５−ｇ、２０５−ｈは、アンテナ固有のＣＳＩを取得して、ＵＬアンテナ選択モジュール６２０によってアップリンク通信のためのアンテナ選択をより良く通知するために使用され得る。他の場合には、（たとえば、アンテナ固有のＣＳＩに基づかない）アップリンクアンテナ選択のための１つのＣＳＩ値を得る（yield）ために、アンテナ２０５−ｇ、２０５−ｈの両方についてのＣＳＩが組み合わされる（たとえば、平均される、など）ことがある。
【００７０】
[0079]いくつかの実装形態では、ＵＬアンテナマッピングモジュール５１５−ａは、ＤＬ／ＵＬ  ＲＢ対応モジュール６１０、ＣＳＩモジュール６１５、およびＵＬアンテナ選択モジュール６２０のうちの１つまたはいくつかを含み得る。いくつかの場合には、ＤＬ／ＵＬ  ＲＢ対応モジュール６１０、ＣＳＩモジュール６１５、およびＵＬアンテナ選択モジュール６２０は、受信されたアップリンク割振りに含まれるＲＢのサブセットとは無関係に動作し得る。たとえば、ＤＬ／ＵＬ  ＲＢ対応モジュール６１０は、アップリンク割振りに含まれる割り振られたリソースのすべてをダウンリンクリソースにマッピングし、ダウンリンクリソース情報をＣＳＩモジュール６１５に通信し得る。ＣＳＩモジュール６１５は次いで、指定されたダウンリンクリソースを介してダウンリンクＣＳＩを決定し得る。ＣＳＩモジュール６１５は次いで、ダウンリンクＣＳＩ情報をＵＬアンテナ選択モジュール６２０に通信し得る。ダウンリンクＣＳＩ情報を使用して、ＵＬアンテナ選択モジュール６２０は、１つまたは複数のアップリンク送信を送信機モジュール５２０−ａのアンテナ２０５−ｇ、２０５−ｈのうちの１つまたは複数にマッピングし得る。ＵＬアンテナ選択モジュール６２０は次いで、アンテナ選択に従って１つまたは複数のアップリンクメッセージを送信するよう対応するアンテナ２０５−ｇ、２０５−ｈに命令し得る。このようにして、アップリンクアンテナ選択の処理オーバーヘッドは、個別に／ＲＢの複数のサブセットについてではなく、割り振られたリソースのすべてについてのＣＳＩのみを一度に取得することによって低減され得る。
【００７１】
[0080]図７は、様々な例による、ワイヤレス通信において使用するためのシステム７００を示す。システム７００は、前の図１〜図４ＢのＵＥ１１５の一例であり得るＵＥ１１５−ｅを含み得る。ＵＥ１１５−ｅはまた、図５または図６のデバイス５０５の１つまたは複数の態様の一例であり得る。
【００７２】
[0081]ＵＥ１１５−ｅは、概して、通信を送信するための構成要素と通信を受信するための構成要素とを含む、双方向音声およびデータ通信のための構成要素を含み得る。ＵＥ１１５−ｅは、各々が（たとえば、１つまたは複数のバス７３０を介して）直接または間接的に互いと通信し得る、アンテナ２０５−ｉおよび２０５−ｊと、トランシーバモジュール７２０と、プロセッサモジュール７０５と、（ソフトウェア（ＳＷ）７１５を含む）メモリ７１０とを含み得る。トランシーバモジュール７２０は、上記で説明されたように、アンテナ２０５−ｉ、２０５−ｊまたは１つもしくは複数のワイヤードもしくはワイヤレスリンクを介して、１つまたは複数のネットワークと双方向に通信するように構成され得る。たとえば、トランシーバモジュール７２０は、前の図を参照して説明された基地局１０５と双方向に通信するように構成され得る。トランシーバモジュール７２０は、パケットを変調し、変調されたパケットを送信のためにアンテナ２０５−ｉ、２０５−ｊに与え、アンテナ２０５−ｉ  ２０５−ｊから受信されたパケットを復調するように構成されたモデムを含み得る。ＵＥ１１５−ｅのアンテナ２０５−ｉ、２０５−ｊは、複数のワイヤレス送信を同時に送信または受信することが可能であり得る。トランシーバモジュール７２０は、複数のコンポーネントキャリアを介して、１つまたは複数の基地局１０５と同時に通信することが可能であり得る。
【００７３】
[0082]ＵＥ１１５−ｅは、図５または図６のデバイス５０５のＵＬアンテナマッピングモジュール５１５のための上記で説明された機能を実行し得るＵＬアンテナマッピングモジュール５１５−ｂを含み得る。ＵＥ１１５−ｅはまた、アンテナ切替えモジュール７２５を含み得る。いくつかの場合には、アンテナ切替えモジュール７２５は、トランシーバモジュール７２０、１つまたは複数のアンテナ２０５において、またはその一部として、もしくは別個の構成要素として実装され得る。ＵＬアンテナマッピングモジュール５１５−ｂからマッピング／アンテナ選択情報を受信すると、アンテナ切替えモジュール７２５は、どちらのアンテナ２０５−ｉ、２０５−ｊが、どのデータ、アップリンク送信、１つまたは複数のアップリンク送信の部分などを送信するかを制御し得る。アンテナ切替えモジュール７２５は、ＵＬアンテナマッピングモジュール５１５−ｂによって決定されたＲＢマッピングに基づいて、アンテナ２０５−ｉ、２０５−ｊのうちの１つまたは複数を選択し得る。
【００７４】
[0083]メモリ７１０は、ランダムアクセスメモリ（ＲＡＭ）と読取り専用メモリ（ＲＯＭ）とを含み得る。メモリ７１０は、実行されると、ＲＢのサブセットごとに、または対応するＤＬ  ＣＳＩ／チャネル特性に基づいて、１つまたは複数のアップリンク送信をアップリンク送信のためにＵＥ１１５−ｅのアンテナ２０５−ｉ、２０５−ｊにマッピングすることを含む本明細書で説明される様々な機能をプロセッサモジュール７０５に実行させるように構成された命令を含んでいるコンピュータ可読、コンピュータ実行可能ソフトウェア／ファームウェアコード７１５を記憶し得る。代替的に、コンピュータ可読、コンピュータ実行可能ソフトウェア／ファームウェアコード７１５は、プロセッサモジュール７０５によって直接実行可能ではないことがあるが、（たとえば、コンパイルされ実行されると）本明細書で説明される機能をコンピュータに実行させるように構成され得る。プロセッサモジュール７０５は、インテリジェントハードウェアデバイス、たとえば、中央処理ユニット（ＣＰＵ）、マイクロコントローラ、特定用途向け集積回路（ＡＳＩＣ）などを含み得る。
【００７５】
[0084]いくつかの場合には、メモリ７１０は、ＵＬリソース割振りにおいて識別されたＵＬ  ＲＢのいくつかまたはすべてに対応し得るＤＬ  ＲＢ／サブキャリアの履歴ＣＳＩ／チャネル特性を記憶し得る。ＵＬアンテナマッピングモジュール５１５−ｂは、前の図１〜図６を参照して上記で説明されたＲＢ／アンテナマッピングプロセスにおいて使用されるべきこの情報を取り出すために、メモリにアクセスし得る。
【００７６】
[0085]図８Ａは、本明細書で説明される様々な実施形態による、アップリンク送信を複数のアンテナのうちの１つまたは複数にマッピングするように構成されたＵＥ１１５−ｆのブロック図８００−ａを示す。ＵＥ１１５−ｆは、前の図１〜図４Ｂもしくは図７を参照しながら説明されたＵＥ１１５、または図５もしくは図６を参照して説明されたデバイス５０５の１つまたは複数の態様の一例であり得る。ＵＥ１１５−ｆは、バックエンド信号処理モジュール８０５と、送信フロントエンド（ＴＸ  ＦＥ）８１５と、各々が１つまたは複数のアンテナ２０５−ｋ、２０５−ｌと通信している複数のＲＦブロック８２０−ａ、８２０−ｂと、複数の受信機フロントエンド（ＲＸ  ＦＥ）および信号プロセッサ８２５−ａ、８２５−ｂと、チャネル推定器８３０と、ＣＳＩモジュール６１５−ａと、ＵＬアンテナマッピングモジュール５１５−ｃとを含み得る。ＵＬアンテナマッピングモジュール５１５−ｃは、アンテナ切替えモジュール７２５−ａをさらに含み得る。ＵＥ１１５−ｆの構成要素またはモジュールのいくつかまたはすべては、互いと通信していることがある。
【００７７】
[0086]バックエンドおよび信号プロセッサ８０５は、ＵＥ１１５−ｆにおいて保留中の１つまたは複数のアップリンク送信をコンパイルする、構成する、処理することなどができる。バックエンドおよび信号プロセッサ８０５は、調整された１つまたは複数のアップリンク送信／メッセージをＴＸ  ＦＥ８１５に通信し得る。ＴＸ  ＦＥ８１５はさらに、アンテナ２０５−ｋ、２０５−ｌによる送信のために１つまたは複数のアップリンク送信を準備することができ、１つまたは複数のアップリンク送信を分割し、分割されたアップリンク送信をアンテナ２０５−ｋ、２０５−ｌを介した送信のためにＲＦブロック８２０−ａ、８２０−ｂに通信することができる。
【００７８】
[0087]いくつかのシナリオでは、ＲＦブロック８２０−ａ、８２０−ｂのうちの１つまたは複数は、アンテナ２０５−ｋ、２０５−ｌを介して、基地局１０５などの、ダウンリンク（たとえば、２１０）を介した基地局からのアップリンクリソース割振り（たとえば、４１０）を受信し得る。
【００７９】
[0088]ＲＸ  ＦＥおよび信号プロセッサ８２５−ａ、８２５−ｂは、ＲＦブロック８２０−ａ、８２０−ｂを介して通信された、アンテナ２０５−ｋ、２０５−ｌによって受信された信号を処理する、調整することなどができる。いくつかの場合には、ＲＸ  ＦＥおよび信号プロセッサ８２５−ａ、８２５−ｂは、ダウンリンク２１０上で受信された信号を処理し、調整することができる。処理された信号は次いで、ダウンリンクに関連付けられたチャネル特性またはＣＳＩを推定／決定し得るチャネル推定器８３０に通信され得る。いくつかの場合には、チャネル特性またはＣＳＩは、ＳＮＲ、ＳＩＮＲ、ＲＳＳＩなどを含み得る。チャネル推定器８３０は、ダウンリンクチャネル特性を、アンテナ２０５−ｋ、２０５−ｌの各々のチャネル特性を比較し得るＣＳＩモジュール６１５−ａに通信し得る。ＣＳＩモジュール６１５−ａは次いで、ＣＳＩ情報をＵＬアンテナマッピングモジュール５１５−ｃに通信し得る。ＵＬアンテナマッピングモジュール５１５−ｃは、調整された／処理されたアップリンク送信のうちの１つまたは複数を送信のためにアンテナ２０５−ｋ、２０５−ｌのうちの１つまたは複数にマッピングし得る。いくつかの場合には、ＵＬアンテナマッピングモジュール５１５−ｃは、マッピングに従ってアップリンク送信を送信するようアンテナ２０５−ｋ、２０５−ｌに命令することによってマッピングを実施し（effectuate）得るアンテナ切替えモジュール７２５−ａをさらに含み得る。このようにして、ＵＥ１１５−ｆは、アップリンク通信性能を改善するために、ダウンリンクＣＳＩに基づいて、複数のアンテナ２０５−ｋ、２０５−ｌのうちの１つまたは複数の上で１つまたは複数のアップリンク送信を送信し得る。
【００８０】
[0089]図８Ｂは、本明細書で説明される様々な実施形態による、アップリンク送信を複数のアンテナのうちの１つまたは複数にマッピングするように構成されたＵＥ１１５−ｇのブロック図８００−ｂを示す。ＵＥ１１５−ｇは、前の図１〜図４Ｂもしくは図７を参照しながら説明されたＵＥ１１５、または図５もしくは図６を参照して説明されたデバイス５０５の１つまたは複数の態様の一例であり得る。ＵＥ１１５−ｇは、バックエンド信号処理モジュール８０５−ａと、デジタルベースバンド８１０と、複数の送信フロントエンド（ＴＸ  ＦＥ）８１５−ａ、８１５−ｂと、各々が１つまたは複数のアンテナ２０５−ｍ、２０５−ｎと通信している複数のＲＦブロック８２０−ｃ、８２０−ｄと、複数の受信機フロントエンド（ＲＸ  ＦＥ）および信号プロセッサ８２５−ｃ、８２５−ｄと、チャネル推定器８３０−ａと、ＣＳＩモジュール６１５−ｂとを含み得る。デジタルベースバンド８１０は、図５、図６、図７、または図８Ａを参照して説明されたＵＬアンテナマッピングモジュール５１５の機能のいくつかまたはすべてを含み得る。ＵＥ１１５−ｆの構成要素またはモジュールのいくつかまたはすべては、互いと通信していることがある。
【００８１】
[0090]バックエンドシグナリングプロセッサ８０５−ａ、ＴＸ  ＦＥ８１５−ａ、８１５−ｂ、ＲＦブロック８２０−ｃ、８２０−ｄ、ＲＸ  ＦＥおよび信号プロセッサ８２５−ｃ、８２５−ｄ、チャネル推定器８３０−ａ、ならびにＣＳＩモジュール６１５−ｂは、図８Ａを参照して説明された対応する構成要素と同様の機能を実行し得る。
【００８２】
[0091]バックエンドおよび信号プロセッサ８０５−ａは、ＵＥ１１５−ｆにおいて保留中の１つまたは複数のアップリンク送信をコンパイルする、構成する、処理することなどができる。バックエンドおよび信号プロセッサ８０５−ａは、調整された１つまたは複数のアップリンク送信／メッセージをデジタルベースバンド８１０に通信し得る。デジタルベースバンド８１０は、１つまたは複数のアップリンク送信を送信のためのアンテナ２０５−ｍ、２０５−ｎのうちの１つまたは複数に割り当て、割り当てられたアップリンク送信／メッセージを対応するＴＸ  ＦＥ８１５−ａ、８１５−ｂに、また、アンテナ２０５−ｍ、２０５−ｎによる最終的な送信用に調整／プロセッシングするために、ＲＦブロック８２０−ｃ、８２０−ｄに通信することができる。
【００８３】
[0092]いくつかの場合には、アンテナ２０５−ｍ、２０５−ｎは、基地局から、ダウンリンク（たとえば、２１０）を介してＵＬリソース割振りを含む通信を受信し得る。アンテナ２０５−ｍ、２０５−ｎは、受信された信号をＲＦブロック８２０−ｃ、８２０−ｄ、ＲＸ  ＦＥおよび信号プロセッサ８２５−ｃ、８２５−ｄ、ならびにチャネル推定器８３０−ａを介してＣＳＩモジュール６１５−ｂに通信し得る。ＣＳＩモジュール６１５−ｂは、アンテナ２０５−ｍ、２０５−ｎの各々についての、または集合的に両方のアンテナ２０５−ｍ、２０５−ｎについての、ダウンリンクに関連付けられたＣＳＩを決定し、ＣＳＩをデジタルベースバンド８１０に通信し得る。デジタルベースバンド８１０は次いで、この情報を使用して、１つまたは複数の保留中のアップリンク送信を送信するために、アンテナ２０５−ｍ、２０５−ｎのうちの１つまたは複数のアンテナを選択し得る。デジタルベースバンド８１０は次いで、ＴＸ  ＦＥ８１５−ａ、８１５−ｂ、ＲＦブロック８２０−ｃ、８２０−ｄ、およびアップリンク送信のためのアンテナ２０５−ｍ、２０５−ｎへのマッピングに従って、アップリンク送信を通信し得る。
【００８４】
[0093]図９は、基地局１０５−ｅとＵＥ１１５−ｈとを含む多入力／多出力（ＭＩＭＯ）通信システム９００のブロック図である。ＭＩＭＯ通信システム９００は、図１、図２、図３、図４Ａ、および図４Ｂを参照して説明されたワイヤレス通信システム１００、２００、３００、または４００の態様を示し得る。基地局１０５−ｅは、アンテナ９３４−ａ〜９３４−ｘを装備し得、ＵＥ１１５−ｈは、アンテナ９５２−ａ〜９５２−ｎを装備し得る。ＭＩＭＯ通信システム９００では、基地局１０５−ｅは、複数の通信リンクを介して同時にデータを送ることが可能であり得る。各通信リンクは、「レイヤ」と呼ばれることがあり、通信リンクの「ランク」は、通信に使用されるレイヤの数を示し得る。たとえば、基地局１０５−ｅが２つの「レイヤ」を送信する２×２  ＭＩＭＯ通信システムでは、基地局１０５−ｅとＵＥ１１５−ｈとの間の通信リンクのランクは２である。
【００８５】
[0094]基地局１０５−ｓにおいて、送信プロセッサ９２０は、データソースからデータを受信し得る。送信プロセッサ９２０は、データを処理し得る。送信プロセッサ９２０はまた、制御シンボルまたは基準シンボルを生成し得る。送信（ＴＸ）ＭＩＭＯプロセッサ９３０は、適用可能な場合、データシンボル、制御シンボル、または基準シンボルに対して、空間処理（たとえば、プリコーディング）を実行し得、出力シンボルストリームを送信変調器９３２−ａ〜９３２−ｘに与え得る。各変調器９３２は、出力サンプルストリームを取得するために、（たとえば、ＯＦＤＭなどのための）それぞれの出力シンボルストリームを処理し得る。各変調器９３２は、ＤＬ信号を取得するために、出力サンプルストリームをさらに処理（たとえば、アナログに変換、増幅、フィルタ処理、およびアップコンバート）し得る。一例では、変調器９３２−ａ〜９３２−ｘからのＤＬ信号は、それぞれ、アンテナ９３４−ａ〜９３４−ｘを介して送信され得る。
【００８６】
[0095]ＵＥ１１５−ｈにおいて、アンテナ２０５の例であり得るＵＥアンテナ９５２−ａ〜９５２−ｎは、たとえば、ダウンリンク２１０を介して、基地局１０５−ｄからＤＬ信号を受信し得、受信された信号をそれぞれ復調器９５４−ａ〜９５４−ｎに与え得る。各復調器９５４は、入力サンプルを取得するために、それぞれの受信された信号を調整（たとえば、フィルタ処理、増幅、ダウンコンバート、およびデジタル化）し得る。各復調器９５４は、受信されたシンボルを取得するために、（たとえば、ＯＦＤＭなどのための）入力サンプルをさらに処理し得る。ＭＩＭＯ検出器９５６は、すべての復調器９５４−ａ〜９５４−ｎから受信されたシンボルを取得し、適用可能な場合、受信されたシンボルに対してＭＩＭＯ検出を実行し、検出されたシンボルを与え得る。受信プロセッサ９５８は、検出されたシンボルを処理（たとえば、復調、デインターリーブ、および復号）し、ＵＥ１１５−ｈのための復号されたデータをデータ出力に与え、復号された制御情報をプロセッサ９８０、またはメモリ９８２に与え得る。
【００８７】
[0096]プロセッサ９８０は、いくつかの場合には、ＵＬアンテナマッピングモジュール５１５−ｃの１つまたは複数の態様をインスタンス化するために、記憶された命令を実行し得る。ＵＬアンテナマッピングモジュール５１５−ｃは、図５、図６もしくは図７を参照しながら説明されたＵＬアンテナマッピングモジュール５１５−ｃの態様の一例であり得るか、または、図６、図７、図８Ａ、もしくは図８Ｂを参照しながら説明されたＣＳＩモジュール６１５およびアンテナ切替えモジュール７２５の１つもしくは複数の態様を組み込み得る。
【００８８】
[0097]アップリンク（ＵＬ）、たとえば、アップリンク２１５上で、ＵＥ１１５−ｈにおいて、送信プロセッサ９６４は、データソースからデータを受信し、処理し得る。送信プロセッサ９６４はまた、基準信号のための基準シンボルを生成し得る。送信プロセッサ９６４からのシンボルは、適用可能な場合、送信ＭＩＭＯプロセッサ９６６によってプリコーディングされ、復調器９５４−ａ〜９５４−ｎによって（たとえば、ＳＣ−ＦＤＭＡなどのために）さらに処理され、基地局１０５−ｅから受信された送信パラメータに従って基地局１０５−ｅに送信され得る。基地局１０５−ｅにおいて、ＵＥ１１５−ｈからのＵＬ信号は、アンテナ９３４によって受信され、復調器９３２によって処理され、適用可能な場合、ＭＩＭＯ検出器９３６によって検出され、受信プロセッサ９３８によってさらに処理され得る。受信プロセッサ９３８は、復号されたデータをデータ出力とプロセッサ９４０またはメモリ９４２とに与え得る。
【００８９】
[0098]ＵＥ１１５−ｈの構成要素は、個々にまたは集合的に、適用可能な機能のいくつかまたはすべてをハードウェアで実行するように適合された１つまたは複数のＡＳＩＣを用いて実装され得る。言及されたモジュールの各々は、ＭＩＭＯ通信システム９００の動作に関する１つまたは複数の機能を実行するための手段であり得る。同様に、基地局１０５−ｅの構成要素は、個々にまたは集合的に、適用可能な機能のいくつかまたはすべてをハードウェアで実行するように適合された１つまたは複数のＡＳＩＣを用いて実装され得る。言及された構成要素の各々は、ＭＩＭＯ通信システム９００の動作に関する１つまたは複数の機能を実行するための手段であり得る。
【００９０】
[0099]図１０は、本開示の様々な態様による、ワイヤレス通信のための方法１０００の一例を示すフローチャートである。明快のために、方法１０００は、前の図１〜図４Ｂもしくは図７〜図９を参照しながら説明されたＵＥ１１５のうちの１つもしくは複数の態様、または図５もしくは図６を参照しながら説明された１つもしくは複数のデバイス５０５の態様に関して以下で説明される。いくつかの例では、ＵＥ１１５は、以下で説明される機能を実行するようにＵＥ１１５の機能要素を制御するためのコードの１つまたは複数のセットを実行し得る。追加または代替として、ＵＥ１１５は、専用ハードウェアを使用して、以下で説明される機能のうちの１つまたは複数を実行し得る。
【００９１】
[0100]ブロック１００５において、方法１０００は、ＵＥ１１５が、基地局１０５などの基地局からのＲＢのセットを含むアップリンクリソース割振りを受信することを含み得る。ブロック１００５における動作は、図５、図６、または図７を参照しながら説明された受信機モジュール５１０またはトランシーバモジュール７２０と１つまたは複数のアンテナ２０５とを使用して実行され得る。
【００９２】
[0101]ブロック１０１０において、ＵＥ１１５は、ＲＢのセットのサブセットを、アンテナ２０５など、ＵＥ１１５の複数のアンテナのうちの１つまたは複数にマッピングし得る。いくつかの場合には、ＵＥ１１５は、個別のＲＢをＵＥ１１５のアンテナのうちの１つまたは複数にマッピングし得る。さらにいくつかの場合には、ＵＥ１５は、スロットごとにまたはサブフレームごとにＲＢのサブセットをマッピングし得る。ブロック１０１０における動作は、図５、図６、または図７を参照しながら説明されたＵＬアンテナマッピングモジュール５１５を使用して実行され得る。
【００９３】
[0102]ブロック１０１５において、ＵＥ１１５は、ＲＢのセットのサブセットを使用して、マッピングに少なくとも部分的に基づいて、１つまたは複数のアンテナ上で１つまたは複数のアップリンク送信を送信し得る。ブロック１０１５における動作は、図５、図６、または図７を参照しながら説明された送信機モジュール５２０またはトランシーバモジュール７２０と１つまたは複数のアンテナ２０５とを使用して実行され得る。
【００９４】
[0103]このようにして、方法１０００はワイヤレス通信を提供し得る。方法１０００は一実装形態にすぎず、方法１０００の動作は、他の実装形態が可能であるように再構成されるか、または場合によっては修正され得ることに留意されたい。
【００９５】
[0104]図１１は、本開示の様々な態様による、ワイヤレス通信のための方法１１００の一例を示すフローチャートである。明快のために、方法１１００は、前の図１〜図４Ｂもしくは図７〜図９を参照しながら説明されたＵＥ１１５のうちの１つもしくは複数の態様、または図５もしくは図６を参照しながら説明された１つもしくは複数のデバイス５０５の態様に関して以下で説明される。いくつかの例では、ＵＥ１１５は、以下で説明される機能を実行するようにＵＥ１１５の機能要素を制御するためのコードの１つまたは複数のセットを実行し得る。追加または代替として、ＵＥ１１５は、専用ハードウェアを使用して、以下で説明される機能のうちの１つまたは複数を実行し得る。
【００９６】
[0105]ブロック１１０５において、方法１１００は、ＵＥ１１５が、基地局１０５などの基地局からのＲＢのセットを含むアップリンクリソース割振りを受信することを含み得る。ブロック１１０５における動作は、図５、図６、図７、または図８Ｂを参照しながら説明された受信機モジュール５１０、トランシーバモジュール７２０および１つもしくは複数のアンテナ２０５、または１つもしくは複数のＲＦブロック８２０を使用して実行され得る。
【００９７】
[0106]ブロック１１１０において、ＵＥ１１５は、アンテナ２０５など、ＵＥ１１５の複数のアンテナの各々についてのダウンリンクＳＮＲ、ＳＩＮＲ、またはＲＳＳＩ（たとえば、チャネル特性またはＣＳＩ）のうちの少なくとも１つを決定し得る。いくつかの場合には、ＵＥ１１５は、たとえば、アンテナ２０５の各々によって測定された値を平均することによって、ＵＥ１１５の複数のアンテナ２０５のグループまたはすべてについてのダウンリンクＳＮＲ、ＳＩＮＲ、またはＲＳＳＩのうちの少なくとも１つを決定し得る。ブロック１１１０における動作は、図５、図６、図７、または図８Ｂを参照しながら説明されたＵＬアンテナマッピングモジュール５１５、またはＣＳＩモジュール６１５およびチャネル推定器８３０の一方もしくは両方を使用して実行され得る。
【００９８】
[0107]ブロック１１１５において、ＵＥ１１５は、決定されたダウンリンクＳＮＲ、ＳＩＮＲ、またはＲＳＳＩに基づいて、ＲＢのセットのサブセットを、アンテナ２０５など、複数のアンテナのうちの１つまたは複数にマッピングし得る。ブロック１１１５における動作は、図５、図６、図７、または図８Ｂを参照しながら説明されたＵＬアンテナマッピングモジュール５１５、ＵＬアンテナ選択モジュール６２０、またはデジタルベースバンド８１０を使用して実行され得る。
【００９９】
[0108]ブロック１１２０において、ＵＥ１１５は、ＲＢのセットのサブセットを使用して、アンテナ２０５など、ＵＥ１１５の１つまたは複数のアンテナ上で１つまたは複数のアップリンク送信を送信し得る。ブロック１１２０における動作は、図５、図６、図７、または図８Ｂを参照しながら説明された送信機モジュール５２０、トランシーバモジュール７２０および１つもしくは複数のアンテナ２０５、またはＲＦブロック８２０のうちの１つもしくは複数を使用して実行され得る。
【０１００】
[0109]このようにして、方法１１００はワイヤレス通信を提供し得る。方法１１００は一実装形態にすぎず、方法１１００の動作は、他の実装形態が可能であるように再構成されるか、または場合によっては修正され得ることに留意されたい。
【０１０１】
[0110]図１２は、本開示の様々な態様による、ワイヤレス通信のための方法１２００の一例を示すフローチャートである。明快のために、方法１２００は、前の図１〜図４Ｂもしくは図７〜図９を参照しながら説明されたＵＥ１１５のうちの１つもしくは複数の態様、または図５もしくは図６を参照しながら説明された１つもしくは複数のデバイス５０５の態様に関して以下で説明される。いくつかの例では、ＵＥ１１５は、以下で説明される機能を実行するようにＵＥ１１５の機能要素を制御するためのコードの１つまたは複数のセットを実行し得る。追加または代替として、ＵＥ１１５は、専用ハードウェアを使用して、以下で説明される機能のうちの１つまたは複数を実行し得る。
【０１０２】
[0111]ブロック１２０５において、方法１２００は、ＵＥ１１５が、ダウンリンク２１０などのダウンリンクを介して、基地局１０５などの基地局からのアップリンクリソース割振りを受信することを含み得る。ブロック１２０５における動作は、図５、図６、図７、図８Ａ、または図８Ｂを参照しながら説明された受信機モジュール５１０もしくはトランシーバモジュール７２０および１つもしくは複数のアンテナ２０５、または１つもしくは複数のＲＦブロック８２０を使用して実行され得る。
【０１０３】
[0112]ブロック１２１０において、ＵＥ１１５は、ダウンリンクに関連付けられたＣＳＩを決定する。ＣＳＩは、ＳＮＲ、ＳＩＮＲ、もしくはＲＳＳＩ、または他の同様のメトリックのうちの少なくとも１つを含み得る。いくつかの場合には、ＣＳＩは、ＵＥ１１５の各アンテナ２０５に、または、たとえば、複数のアンテナ２０５の平均値によって、ＵＥの複数のアンテナ２０５に関連付けられ得る。ブロック１２１０における動作は、図５、図６、図７、図８Ａ、または図８Ｂを参照しながら説明されたＤＬ／ＵＬ  ＲＢ対応モジュール６１０、またはチャネル推定器８３０およびＣＳＩモジュール６１５の一方もしくは両方を使用して実行され得る。
【０１０４】
[0113]ブロック１２１５において、ＵＥ１１５は、アップリンクリソース割振りに従って、および決定されたＣＳＩに基づいて、１つまたは複数のアップリンク送信を、アンテナ２０５などの１つまたは複数のアンテナにマッピングし得る。ブロック１２１５における動作は、図５、図６、図７、図８Ａ、または図８Ｂを参照しながら説明されたＵＬアンテナマッピングモジュール５１５、ＵＬアンテナ選択モジュール６２０、ＣＳＩモジュール６１５およびアンテナ切替えモジュール７２５のうちの１つもしくは複数、またはデジタルベースバンド８１０を使用して実行され得る。
【０１０５】
[0114]いくつかの実装形態では、ＵＥ１１５は、個別のＲＢごとに、１つまたは複数のアップリンク送信を１つまたは複数のアンテナにマッピングし得る。
【０１０６】
[0115]ブロック１２２０において、ＵＥ１１５は、マッピングに基づいて、アンテナ２０５などの１つまたは複数のアンテナによって１つまたは複数のアップリンク送信を送信し得る。ブロック１２１５における動作は、図５、図６、図７、図８Ａ、または図８Ｂを参照しながら説明された送信機モジュール５２０、トランシーバモジュール７２０および１つもしくは複数のアンテナ２０５、または１つもしくは複数のＲＦブロック８２０を使用して実行され得る。
【０１０７】
[0116]このようにして、方法１２００はワイヤレス通信を提供し得る。方法１２００は一実装形態にすぎず、方法１２００の動作は、他の実装形態が可能であるように再構成されるか、または場合によっては修正され得ることに留意されたい。
【０１０８】
[0117]いくつかの例では、方法１０００、１１００、または１２００のうちの２つ以上からの態様が組み合わされ得る。方法１０００、１１００、および１２００は例示的な実装形態にすぎず、方法１０００〜１２００の動作は、他の実装形態が可能であるように再構成されるか、または場合によっては修正され得ることに留意されたい。
【０１０９】
[0118]本明細書で説明される技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（商標）などの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明される技法は、無認可帯域幅または共有帯域幅を介したセルラー（たとえば、ＬＴＥ）通信を含む、上述のシステムおよび無線技術ならびに他のシステムおよび無線技術に使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０１１０】
[0119]添付の図面に関して上記に記載された発明を実施するための形態は、例について説明しており、実装され得るまたは特許請求の範囲内に入る例のみを表すものではない。「例」および「例示的」という用語は、本明細書で使用されるとき、「例、事例、または例示として働く」ことを意味し、「好ましい」または「他の例よりも有利である」ことを意味しない。発明を実施するための形態は、説明される技法の理解を与えるための具体的な詳細を含む。しかしながら、これらの技法は、これらの具体的な詳細なしに実践され得る。いくつかの事例では、説明される例の概念を不明瞭にすることを回避するために、よく知られている構造および装置はブロック図の形態で示されている。
【０１１１】
[0120]情報および信号は、様々な異なる技術および技法のいずれかを使用して表され得る。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１１２】
[0121]本明細書の本開示に関して説明される様々な例示的なブロックおよび構成要素は、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサの組合せ、複数のマイクロプロセッサ、ＤＳＰコアと連携する１つもしくは複数のマイクロプロセッサ、または任意の他のそのような構成としても実装され得る。
【０１１３】
[0122]本明細書で説明される機能は、ハードウェア、プロセッサによって実行されるソフトウェア、ファームウェア、またはそれらの任意の組合せにおいて実装され得る。プロセッサによって実行されるソフトウェアにおいて実装される場合、機能は、１つまたは複数の命令またはコードオンとしてコンピュータ可読媒体上に記憶されるか、またはコンピュータ可読媒体を介して送信され得る。他の例および実装形態は、本開示および添付の特許請求の範囲の範囲および趣旨内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。特許請求の範囲を含めて、本明細書で使用される場合、「または」という用語は、２つ以上の項目の列挙中で使用されるとき、列挙された項目のうちのいずれか１つが単独で採用され得ること、または列挙された項目のうちの２つ以上の任意の組合せが採用され得ることを意味する。たとえば、組成が構成要素Ａ、Ｂ、またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」または「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１１４】
[0123]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭもしくは他の光ディスクストレージ、磁気ディスクストレージもしくは他の磁気ストレージデバイス、または、命令もしくはデータ構造の形態の所望のプログラムコード手段を搬送もしくは記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は通常、データを磁気的に再生し、ディスク（disc）は、レーザーを用いてデータを光学的に再生する。上記の組合せもコンピュータ可読媒体の範囲内に含まれる。
【０１１５】
[0124]本開示の前述の説明は、当業者が本開示を作成または使用することができるように与えられたものである。本開示への様々な修正は当業者に容易に明らかとなり、本明細書で定義された一般原理は、本開示の範囲から逸脱することなく他の変形形態に適用され得る。したがって、本開示は、本明細書で説明される例および設計に限定されるべきではなく、本明細書で開示される原理および新規の特徴に一致する最も広い範囲を与えられるべきである。
以下に本願の出願当初の特許請求の範囲に記載された発明を付記する。
[Ｃ１]  ワイヤレス通信の方法であって、
ユーザ機器（ＵＥ）において、基地局からのアップリンクリソース割振りを受信することと、前記アップリンクリソース割振りは、リソースブロックのセットを備える、
前記ＵＥによって、前記リソースブロックのセットのサブセットを前記ＵＥにおける複数のアンテナのうちの１つまたは複数にマッピングすることと、
前記マッピングに少なくとも部分的に基づいて、前記複数のアンテナのうちの前記１つまたは複数の上で１つまたは複数のアップリンク送信を送信するために、前記リソースブロックのセットの前記サブセットを使用することとを備える方法。
[Ｃ２]  前記マッピングは、スロットごとにまたはサブフレームごとにのうちの少なくとも１つで実行される、Ｃ１に記載の方法。
[Ｃ３]  前記リソースブロックのセットのサブセットをマッピングすることが、
前記複数のアンテナの各々についてのダウンリンクチャネル特性を決定することと、
前記ダウンリンクチャネル特性に基づいて、前記リソースブロックのセットのサブセットを前記複数のアンテナのうちの前記１つまたは複数にマッピングすることとを備える、Ｃ１に記載の方法。
[Ｃ４]  前記複数のアンテナの各々についてのダウンリンクチャネル特性を前記決定することが、
信号対雑音比（ＳＮＲ）、信号対干渉雑音比（ＳＩＮＲ）、または受信信号強度インジケータ（ＲＳＳＩ）のうちの少なくとも１つを含むダウンリンクチャネル特性を決定することをさらに備える、Ｃ３に記載の方法。
[Ｃ５]  前記ＵＥによって、前記複数のアンテナについてのダウンリンクチャネル状態情報（ＣＳＩ）を決定することをさらに備える、Ｃ１に記載の方法。
[Ｃ６]  前記リソースブロックのセットのサブセットをマッピングすることが、
前記複数のアンテナについての前記ダウンリンクＣＳＩに基づいて、個別のリソースブロックを前記複数のアンテナのうちの前記１つまたは複数にマッピングすることを備える、Ｃ５に記載の方法。
[Ｃ７]  前記ＣＳＩ決定に使用されるサブキャリアが、前記リソースブロックのセットの前記サブセットに対応する、Ｃ５に記載の方法。
[Ｃ８]  ダウンリンクＣＳＩを決定することが、
前記複数のアンテナの現在のダウンリンクＣＳＩを測定すること、前記複数のアンテナの履歴ＣＳＩを利用すること、またはそれらの組合せをさらに備える、Ｃ５に記載の方法。
[Ｃ９]  前記マッピングが、
前記リソースブロックのセットの前記サブセットを前記複数のアンテナのうちの最も高いダウンリンクチャネル状態情報（ＣＳＩ）を有する第１のアンテナにマッピングすることをさらに備える、Ｃ１に記載の方法。
[Ｃ１０]  １つまたは複数のアップリンク送信を送信するために、前記リソースブロックのセットの前記サブセットを使用することが、
前記ＵＥのデジタルベースバンドにおいて前記複数のアンテナのうちの前記対応するアンテナを選択することを備える、Ｃ１に記載の方法。
[Ｃ１１]  １つまたは複数のアップリンク送信を送信するために、前記リソースブロックのセットの前記サブセットを使用することが、
前記ＵＥのアンテナポートにおいて前記複数のアンテナのうちの前記対応するアンテナを選択することを備える、Ｃ１に記載の方法。
[Ｃ１２]  ワイヤレス通信の方法であって、
ユーザ機器（ＵＥ）において、ダウンリンクを介して基地局からのアップリンクリソース割振りを受信することと、
前記ダウンリンクに関連付けられたチャネル状態情報（ＣＳＩ）を決定することと、
前記ＵＥによって、前記アップリンクリソース割振りに従って、および前記決定されたＣＳＩに基づいて、１つまたは複数のアップリンク送信を前記ＵＥの１つまたは複数のアンテナにマッピングすることと、
前記マッピングに基づいて、前記ＵＥの前記１つまたは複数のアンテナによって前記１つまたは複数のアップリンク送信を送信することとを備える方法。
[Ｃ１３]  前記ダウンリンクに関連付けられたＣＳＩを決定することが、
現在のＣＳＩを測定すること、履歴ＣＳＩを利用すること、またはそれらの組合せのうちの少なくとも１つによってＣＳＩを決定することを備える、Ｃ１２に記載の方法。
[Ｃ１４]  前記ダウンリンクに関連付けられたＣＳＩを決定することが、前記ＵＥの前記１つまたは複数のアンテナの各々についての前記ＣＳＩを決定することを備える、Ｃ１２に記載の方法。
[Ｃ１５]  前記１つまたは複数のアップリンク送信を前記ＵＥの前記１つまたは複数のアンテナにマッピングすることが、
前記アップリンクリソース割振りにおいて識別される個別のリソースブロックに対応する前記ダウンリンクに関連付けられた前記ＣＳＩに基づいて、前記１つまたは複数のアップリンク送信を前記ＵＥの前記１つまたは複数のアンテナにマッピングすることを備える、Ｃ１２に記載の方法。
[Ｃ１６]  前記ＣＳＩが、信号対雑音比（ＳＮＲ）、信号対干渉雑音比（ＳＩＮＲ）、または受信信号強度インジケータ（ＲＳＳＩ）のうちの少なくとも１つを備える、Ｃ１２に記載の方法。
[Ｃ１７]  ワイヤレス通信のためのユーザ機器（ＵＥ）装置であって、
基地局からのアップリンクリソース割振りを受信するための手段と、前記アップリンクリソース割振りは、リソースブロックのセットを備える、
前記リソースブロックのセットのサブセットを前記ＵＥの複数のアンテナのうちの１つまたは複数にマッピングするための手段と、
前記マッピングに少なくとも部分的に基づいて、前記複数のアンテナのうちの前記１つまたは複数の上で１つまたは複数のアップリンク送信を送信するために、前記リソースブロックのセットの前記サブセットを使用するための手段とを備えるユーザ機器（ＵＥ）装置。
[Ｃ１８]  前記マッピングは、スロットごとにまたはサブフレームごとにのうちの少なくとも１つで実行される、Ｃ１７に記載のＵＥ。
[Ｃ１９]  前記リソースブロックのセットのサブセットをマッピングするための前記手段が、
前記複数のアンテナの各々についてのダウンリンクチャネル特性を決定するための手段をさらに備え、前記リソースブロックのセットのサブセットをマッピングするための前記手段が、
前記ダウンリンクチャネル特性に基づいて、前記リソースブロックのセットのサブセットを前記複数のアンテナのうちの前記１つまたは複数にマッピングするようにさらに構成される、Ｃ１７に記載のＵＥ。
[Ｃ２０]  前記ＵＥによって、前記複数のアンテナについてのダウンリンクチャネル状態情報（ＣＳＩ）を決定するための手段をさらに備える、Ｃ１７に記載のＵＥ。
[Ｃ２１]  前記リソースブロックのセットのサブセットをマッピングするための前記手段が、
前記複数のアンテナについての前記ダウンリンクＣＳＩに基づいて、個別のリソースブロックを前記複数のアンテナのうちの前記１つまたは複数にマッピングするための手段をさらに備える、Ｃ２０に記載のＵＥ。
[Ｃ２２]  前記ＣＳＩ決定に使用されるサブキャリアが、前記リソースブロックのセットの前記サブセットに対応する、Ｃ２０に記載のＵＥ。
[Ｃ２３]  ダウンリンクＣＳＩを決定するための前記手段が、
前記複数のアンテナの現在のダウンリンクＣＳＩを測定するための手段、前記複数のアンテナの履歴ＣＳＩを利用する、またはそれらの組合せをさらに備える、Ｃ２０に記載のＵＥ。
[Ｃ２４]  ワイヤレス通信のためのユーザ機器（ＵＥ）装置であって、
ダウンリンクを介して基地局からのアップリンクリソース割振りを受信するための手段と、
前記ダウンリンクに関連付けられたチャネル状態情報（ＣＳＩ）を決定するための手段と、
前記アップリンクリソース割振りに従って、および前記決定されたＣＳＩに基づいて、１つまたは複数のアップリンク送信を前記ＵＥの１つまたは複数のアンテナにマッピングするための手段と、
前記マッピングに基づいて、前記ＵＥの前記１つまたは複数のアンテナによって前記１つまたは複数のアップリンク送信を送信するための手段とを備えるユーザ機器（ＵＥ）装置。
[Ｃ２５]  前記ダウンリンクに関連付けられたＣＳＩを決定するための前記手段が、
現在のＣＳＩを測定すること、履歴ＣＳＩを利用すること、またはそれらの組合せのうちの少なくとも１つによってＣＳＩを決定するための手段を備える、Ｃ２４に記載の装置。
[Ｃ２６]  前記ダウンリンクに関連付けられたＣＳＩを決定するための前記手段が、
前記ＵＥの前記１つまたは複数のアンテナの各々についての前記ＣＳＩを決定するための手段を備える、Ｃ２４に記載の装置。
[Ｃ２７]  前記１つまたは複数のアップリンク送信を前記ＵＥの前記１つまたは複数のアンテナにマッピングするための前記手段が、
前記アップリンクリソース割振りにおいて識別される個別のリソースブロックに対応する前記ダウンリンクに関連付けられた前記ＣＳＩに基づいて、前記１つまたは複数のアップリンク送信を前記ＵＥの前記１つまたは複数のアンテナにマッピングするための手段を備える、Ｃ２４に記載の装置。
[Ｃ２８]  前記ＣＳＩが、信号対雑音比（ＳＮＲ）、信号対干渉雑音比（ＳＩＮＲ）、または受信信号強度インジケータ（ＲＳＳＩ）のうちの少なくとも１つを備える、Ｃ２４に記載の装置。
[Ｃ２９]  ワイヤレス通信のためのユーザ機器（ＵＥ）装置であって、
プロセッサと、
前記プロセッサと電子通信しているメモリと、
前記メモリに記憶された命令とを備え、前記命令は、
基地局からのアップリンクリソース割振りを受信することと、前記アップリンクリソース割振りは、リソースブロックのセットを備える、
前記リソースブロックのセットのサブセットを前記ＵＥにおける複数のアンテナのうちの１つまたは複数にマッピングすることと、
前記マッピングに少なくとも部分的に基づいて、前記複数のアンテナのうちの前記１つまたは複数の上で１つまたは複数のアップリンク送信を送信するために、前記リソースブロックのセットの前記サブセットを使用することとを行うように前記プロセッサによって実行可能である、ユーザ機器（ＵＥ）装置。
[Ｃ３０]  マッピングするための前記命令が、スロットごとまたはサブフレームごとのうちの少なくとも１つで前記リソースブロックのセットのサブセットをマッピングするための命令を含む、Ｃ２９に記載のＵＥ。
[Ｃ３１]  前記メモリに記憶された前記命令が、
前記複数のアンテナの各々についてダウンリンクチャネル特性を決定するように前記プロセッサによってさらに実行可能であり、マッピングするための前記命令が、
前記ダウンリンクチャネル特性に基づいて、前記リソースブロックのセットのサブセットを前記複数のアンテナのうちの前記１つまたは複数にマッピングするための命令を含む、Ｃ２９に記載のＵＥ。
[Ｃ３２]  前記メモリに記憶された前記命令が、
前記複数のアンテナについてのダウンリンクチャネル状態情報（ＣＳＩ）を決定するように前記プロセッサによってさらに実行可能である、Ｃ２９に記載のＵＥ。
[Ｃ３３]  マッピングするための前記命令が、
前記複数のアンテナについての前記ダウンリンクＣＳＩに基づいて、個別のリソースブロックを前記複数のアンテナのうちの前記１つまたは複数にマッピングするための命令を含む、Ｃ３２に記載のＵＥ。
[Ｃ３４]  前記ＣＳＩ決定に使用されるサブキャリアが、前記リソースブロックのセットの前記サブセットに対応する、Ｃ３２に記載のＵＥ。
[Ｃ３５]  ダウンリンクＣＳＩを決定するための前記命令が、
前記複数のアンテナの現在のダウンリンクＣＳＩを測定すること、前記複数のアンテナの履歴ＣＳＩを利用すること、またはそれらの組合せのための命令をさらに含む、Ｃ３２に記載のＵＥ。
【図１】
0006487046.tif 000002
【図２】
0006487046.tif 000003
【図３】
0006487046.tif 000004
【図４Ａ】
0006487046.tif 000005
【図４Ｂ】
0006487046.tif 000006
【図５】
0006487046.tif 000007
【図６】
0006487046.tif 000008
【図７】
0006487046.tif 000009
【図８Ａ】
0006487046.tif 000010
【図８Ｂ】
0006487046.tif 000011
【図９】
0006487046.tif 000012
【図１０】
0006487046.tif 000013
【図１１】
0006487046.tif 000014
【図１２】
0006487046.tif 000015